(57)【要約】      （修正有）【課題】セルラ通信のためのローカル・インターネット・プロトコル・アクセス（ＬＩＰＡ）の確立を提供する。【解決手段】パケット・ネットワーク接続を確立する要求を、ＬＩＰＡコンテキストを求める要求として識別するメカニズムが提供される。識別されると、ＵＥまたは加入者展開された基地局に関連付けられたローカル・ゲートウェイが識別され、ＵＥのためのＬＩＰＡトラフィックをサポートするためにパケット・コンテキストが確立される。追加のメカニズムは、１つの基地局から別の基地局へのＵＥモビリティをサポートする。これは、非アクティブなＬＩＰＡコンテキストを識別し終了させることを含む。さらに、ＵＥにおいて実行しているアプリケーションのＬＩＰＡコンテキストの確立を認識し容易にするＵＥが記載される。【選択図】図１
2014030202.tif 000002
【特許請求の範囲】
【請求項１】
ローカル・インターネット・プロトコル・アクセス（ＬＩＰＡ）トラフィックのためのパケット接続を確立するための無線通信の方法であって、
パケット・データ・ネットワーク接続（ＰＤＮ接続）を求める要求を備える電子メッセージを受信することと、
前記ＰＤＮ接続を求める要求が、ＬＩＰＡ  ＰＤＮ要求であるかを判定することと、
前記ＰＤＮ接続が前記ＬＩＰＡ  ＰＤＮ要求であると判定された場合、前記ＬＩＰＡ  ＰＤＮ要求に関連付けられたローカル・ゲートウェイ（Ｌ−ＧＷ）を識別することと
を備える方法。
【請求項２】
前記Ｌ−ＧＷを識別することはさらに、前記Ｌ−ＧＷのインターネット・プロトコル・アドレス（ＩＰアドレス）を取得することを備える、請求項１に記載の方法。
【請求項３】
前記Ｌ−ＧＷのＩＰアドレスを取得することはさらに、前記電子メッセージのヘッダから、前記ＩＰアドレスを抽出することを備える、請求項２に記載の方法。
【請求項４】
前記Ｌ−ＧＷのＩＰアドレスを取得することはさらに、前記電子メッセージと連携されているＩＰアドレスを受信することを備える、請求項２に記載の方法。
【請求項５】
前記Ｌ−ＧＷを識別することはさらに、
ドメイン名サーバ・クエリ（ＤＮＳ）サーバを用いて、前記Ｌ−ＧＷを求めるＤＮＳクエリを実行することと、
前記ＤＮＳサーバから、前記Ｌ−ＧＷのＩＰアドレスを受信することと
を備える請求項１に記載の方法。
【請求項６】
前記ＬＩＰＡ  ＰＤＮ要求から、ＬＩＰＡアクセス・ポイント名（ＬＩＰＡ  ＡＰＮ）を抽出することと、
前記ＤＮＳクエリの実行を容易にするために、前記ＬＩＰＡ  ＡＰＮから、完全に記述されたドメイン名を生成することと
をさらに備える請求項５に記載の方法。
【請求項７】
前記Ｌ−ＧＷに関連するＰＤＮ接続を確立するために、前記Ｌ−ＧＷへセッション要求メッセージを送信すること、をさらに備える請求項１に記載の方法。
【請求項８】
前記セッション要求メッセージは、前記ＰＤＮ接続を確立するために適用される生成デフォルト・ベアラ要求を備える、請求項７に記載の方法。
【請求項９】
前記Ｌ−ＧＷを識別することはさらに、
前記Ｌ−ＧＷに接続されたホーム基地局のＩＰアドレスを取得することと、
前記ホーム基地局のＩＰアドレスを、前記Ｌ−ＧＷのＩＰアドレスとして適用することと
を備える請求項１に記載の方法。
【請求項１０】
前記ＰＤＮ接続を求める要求が、前記ＬＩＰＡ  ＰＤＮ要求であるかを判定することはさらに、前記ＰＤＮ接続を求める要求に関連付けられたアクセス・ポイント名（ＡＰＮ）を、ＬＩＰＡ  ＡＰＮ名のリストと比較することを備える、請求項１に記載の方法。
【請求項１１】
無線通信と連携したローカル・インターネット・プロトコル・アクセス（ＬＩＰＡ）トラフィックのためのパケット接続を確立するように構成された装置であって、
電子通信を送信および受信するための通信インタフェースと、
ＬＩＰＡトラフィックのためのネットワーク・コンテキストを確立するように構成された命令群を格納するためのメモリとを備え、
前記命令群は、
パケット・ネットワーク接続を求める要求を、前記通信インタフェースから取得し、前記要求が、前記ＬＩＰＡトラフィックを求めるものであるかを判定する分析モジュールと、
ＬＩＰＡトラフィックをサポートし、前記要求を発行するエンティティに関連付けられたローカル・ゲートウェイ（Ｌ−ＧＷ）を識別する獲得モジュールと、
を備えるコンピュータ実行可能モジュールによって実行される、装置。
【請求項１２】
前記要求が、ＬＩＰＡトラフィックを求めるものであると判定された場合に、前記ＬＩＰＡトラフィックをサポートするために、前記Ｌ−ＧＷに対して、パケット・コンテキストを確立するように命じるトラフィック・セットアップ・モジュールをさらに備える、請求項１１に記載の装置。
【請求項１３】
前記パケット・コンテキストは、ＬＩＰＡトラフィックのために構成されたＰＤＮ接続であるか、ＬＩＰＡトラフィックのために構成されたパケット・データ・プロトコル・コンテキスト（ＰＤＰコンテキスト）である、請求項１２に記載の装置。
【請求項１４】
前記獲得モジュールは、前記要求に含まれたインターネット・プロトコル・アドレス（ＩＰアドレス）から前記Ｌ−ＧＷを識別する、請求項１１に記載の装置。
【請求項１５】
前記ＩＰアドレスは、前記要求を備える無線メッセージの明示的な情報要素において指定される、請求項１４に記載の装置。
【請求項１６】
前記ＩＰアドレスは、前記要求を備える無線メッセージのソースＩＰヘッダから抽出される、請求項１４に記載の装置。
【請求項１７】
完全に記述されたドメイン名（ＦＱＤＮ）を生成するために、前記要求を用いて指定された規定されたＬＩＰＡアクセス・ポイント名（規定されたＬＩＰＡ  ＡＰＮ）を適用し、ドメイン名サーバクエリ（ＤＮＳクエリ）を実行するために前記ＦＱＤＮを利用し、前記ＤＮＳクエリに応答して前記ＩＰアドレスを取得するドメイン・モジュールをさらに備える、請求項１４に記載の装置。
【請求項１８】
前記分析モジュールは、前記要求に含まれるアクセス・ポイント名（ＡＰＮ）が、ＬＩＰＡトラフィックに明示的に関連付けられた用語であるかを識別すること、または、前記要求を前記装置にルーティングしている第２のエンティティが、ホーム基地局であるか、ホーム基地局ゲートウェイであるかを識別すること、のうちの少なくとも１つによって、前記要求が、ＬＩＰＡトラフィックを求めるものであるかを判定する、請求項１１に記載の装置。
【請求項１９】
ロング・ターム・イボリューション無線ネットワークのモビリティ管理エンティティ（ＭＭＥ）、または、ユニバーサル・モバイル・テレコミュニケーション・システム・ネットワークのサービス提供ＧＰＲＳサポート・ノード（Ｓ−ＧＳＭ）、のうちの少なくとも１つを備える請求項１１に記載の装置。
【請求項２０】
無線通信と連携したローカル・インターネット・プロトコル・アクセス（ＬＩＰＡ）コンテキストを確立するように構成された装置であって、
パケット・ネットワーク接続を求める要求を備える電子メッセージを受信する手段と、
前記要求が、ＬＩＰＡトラフィックを確立することを求める要求であるかを判定する手段と、
前記要求が、ＬＩＰＡトラフィックを確立するための要求であると判定された場合、前記ＬＩＰＡトラフィックをサポートするローカル・ゲートウェイ（Ｌ−ＧＷ）を識別する手段と
を備える装置。
【請求項２１】
無線通信と連携したローカル・インターネット・プロトコル・アクセス（ＬＩＰＡ）コンテキストを確立するように構成された装置であって、
パケット・ネットワーク接続を求める要求を備える電子メッセージを受信するモジュールと、
前記要求がＬＩＰＡトラフィックを確立することを求める要求であるかを判定するモジュールと、
前記要求が、ＬＩＰＡトラフィックを確立する要求であると判定された場合、前記ＬＩＰＡトラフィックをサポートするローカル・ゲートウェイ（Ｌ−ＧＷ）を識別するモジュールと
を備えるプロセッサ。
【請求項２２】
コンピュータ読取可能媒体を備えるコンピュータ・プログラム製品であって、
前記コンピュータ読取可能媒体は、
コンピュータに対して、パケット・ネットワーク接続を求める要求を備える電子メッセージを受信させるためのコードと、
前記コンピュータに対して、前記要求が、ローカル・インターネット・プロトコル・アクセス（ＬＩＰＡ）トラフィックを確立する要求であるかを判定させるためのコードと、
前記要求が、ＬＩＰＡトラフィックを確立するための要求であると判定された場合、前記コンピュータに対して、ＬＩＰＡトラフィックに関連付けられたローカル・ゲートウェイ（Ｌ−ＧＷ）を識別させるためのコードと
を備えるコンピュータ・プログラム製品。
【請求項２３】
無線通信の方法であって、
パケット・データ・ネットワーク接続（ＰＤＮ接続）を求める要求を、ローカル・インターネット・プロコトル・アクセス（ＬＩＰＡ）トラフィックを求める要求として識別することと、
ＬＩＰＡアクセス・ポイント名（ＬＩＰＡ  ＡＰＮ）を生成することと、
ＬＩＰＡトラフィックのため前記ＰＤＮ接続を開始するために、前記ＰＤＮ接続を求める要求および前記ＬＩＰＡ  ＡＰＮを、サービス提供基地局へ無線で送信することと
を備える方法。
【請求項２４】
前記ＰＤＮ接続を求める要求は、ＬＩＰＡトラフィックを求めるコールを行うソフトウェア・アプリケーションからの要求、または、ローカル・ネットワークにアクセスするための、ソフトウェア・アプリケーションからの要求、のうちの少なくとも１つである、請求項２３に記載の方法。
【請求項２５】
前記ＰＤＮ接続を求める要求を、ＬＩＰＡトラフィックを求める要求として識別することは、前記サービス提供基地局が、ホーム基地局であると判定することをさらに備える、請求項２３に記載の方法。
【請求項２６】
前記ＬＩＰＡ  ＡＰＮを生成することはさらに、前記サービス提供基地局のホーム基地局識別子を、前記ＬＩＰＡ  ＡＰＮの一部として指定することを備える、請求項２３に記載の方法。
【請求項２７】
前記ＬＩＰＡ  ＡＰＮを生成することはさらに、前記ＬＩＰＡ  ＡＰＮの一部として「ＬＩＰＡ」を明示的に示すことを備える、請求項２３に記載の方法。
【請求項２８】
前記ＬＩＰＡ  ＡＰＮを生成することはさらに、前記サービス提供基地局が、ＬＩＰＡ無線サービスに関連付けられていると判定することを備える、請求項２３に記載の方法。
【請求項２９】
無線通信のために構成された装置であって、
無線通信を送信および受信するための無線通信インタフェースと、
ローカル・インターネット・プロトコル・アクセス（ＬＩＰＡ）ネットワーク・コンテキストを開始するための命令群を格納するメモリとを備え、
前記命令群は、
パケット・ネットワーク・コンテキストを確立することを求める要求が、ＬＩＰＡパケット・データ・ネットワーク（ＬＩＰＡ  ＰＤＮ）に関連しているかを判定するフィルタリング・モジュールと、
ＬＩＰＡアクセス・ポイント名（ＬＩＰＡ  ＡＰＮ）を生成し、ＰＤＮ接続を要求するために無線メッセージ内に前記ＬＩＰＡ  ＰＤＮを含めるコンテキスト・モジュールと、を備えるコンピュータ実行可能モジュールによって実行され、
前記無線メッセージは、前記無線通信インタフェースによって、前記装置にサービス提供する基地局へ送信される、装置。
【請求項３０】
前記要求が、ＬＩＰＡトラフィックを求めるアプリケーション、または、ローカル・ネットワークにアクセスするように構成されたアプリケーションのうちの少なくとも１つから発行された場合、前記フィルタリング・モジュールは、前記要求が、前記ＬＩＰＡ  ＰＤＮに関連していると判定する、請求項２９に記載の装置。
【請求項３１】
前記装置にサービス提供している基地局が、ホーム基地局である場合、前記フィルタリング・モジュールは、前記要求が前記ＬＩＰＡ  ＰＤＮに関連していると判定する、請求項２９に記載の装置。
【請求項３２】
前記装置にサービス提供している基地局がＬＩＰＡトラフィックに関連付けられている場合、前記フィルタリング・モジュールは、前記要求が前記ＬＩＰＡ  ＰＤＮに関連していると判定する、請求項２９に記載の装置。
【請求項３３】
前記コンテキスト・モジュールは、少なくとも部分的に、前記装置にサービス提供している基地局のホーム基地局識別子から、前記ＬＩＰＡ  ＡＰＮを生成する、請求項２９に記載の装置。
【請求項３４】
前記コンテキスト・モジュールは、少なくとも部分的に、前記ＬＩＰＡ  ＡＰＮにおける「ＬＩＰＡ」を用いて、前記ＬＩＰＡ  ＡＰＮを生成する、請求項２９に記載の装置。
【請求項３５】
無線通信のために構成された装置であって、
パケット・データ・ネットワーク接続（ＰＤＮ接続）を求める要求を、ローカル・インターネット・プロコトル・アクセス（ＬＩＰＡ）トラフィックを求める要求として識別する手段と、
ＬＩＰＡアクセス・ポイント名（ＬＩＰＡ  ＡＰＮ）を生成する手段と、
ＬＩＰＡトラフィックのため前記ＰＤＮ接続を開始するために、前記ＰＤＮ接続を求める要求および前記ＬＩＰＡ  ＡＰＮを、サービス提供基地局へ無線で送信する手段と
を備える装置。
【請求項３６】
無線通信のために構成された少なくとも１つのプロセッサであって、
パケット・データ・ネットワーク接続（ＰＤＮ接続）を求める要求を、ローカル・インターネット・プロコトル・アクセス（ＬＩＰＡ）トラフィックを求める要求として識別するモジュールと、
ＬＩＰＡアクセス・ポイント名（ＬＩＰＡ  ＡＰＮ）を生成するモジュールと、
ＬＩＰＡトラフィックのため前記ＰＤＮ接続を開始するために、前記ＰＤＮ接続を求める要求および前記ＬＩＰＡ  ＡＰＮを、サービス提供基地局へ無線で送信するモジュールと
を備えるプロセッサ。
【請求項３７】
コンピュータ読取可能媒体を備えるコンピュータ・プログラム製品であって、
前記コンピュータ読取可能媒体は、
コンピュータに対して、パケット・データ・ネットワーク接続（ＰＤＮ接続）を求める要求を、ローカル・インターネット・プロコトル・アクセス（ＬＩＰＡ）トラフィックを求める要求として識別させるためのコードと、
前記コンピュータに対して、ＬＩＰＡアクセス・ポイント名（ＬＩＰＡ  ＡＰＮ）を生成させるためのコードと、
ＬＩＰＡトラフィックのため前記ＰＤＮ接続を開始するために、前記コンピュータに対して、前記ＰＤＮ接続を求める要求および前記ＬＩＰＡ  ＡＰＮを、サービス提供基地局へ無線で送信させるためのコードと
を備えるコンピュータ・プログラム製品。
【請求項３８】
無線通信を含むローカル・インターネット・プロトコル・アクセス（ＬＩＰＡ）トラフィックのためのパケット接続を終了させる方法であって、
アクセス端末が基地局と無線接続を確立していることを示すメッセージを受信することと、
既存のＬＩＰＡパケット・データ・ネットワーク・コンテキスト（既存のＬＩＰＡ  ＰＤＮコンテキスト）が、前記基地局における使用に利用可能ではないと判定することと、
既存のＬＩＰＡ  ＰＤＮコンテキストを終了させるために、前記既存のＬＩＰＡ  ＰＤＮコンテキストに関連付けられたローカル・ゲートウェイ（Ｌ−ＧＷ）へ非アクティブ化要求を送ることと
を備える方法。
【請求項３９】
前記メッセージを受信することは、前記基地局へのハンドオーバを実行するアクセス端末によって引き起こされる、請求項３８に記載の方法。
【請求項４０】
前記メッセージを受信することは、前記基地局との初期接続を確立するアクセス端末によって引き起こされる、請求項３８に記載の方法。
【請求項４１】
前記既存のＬＩＰＡ  ＰＤＮコンテキストが前記基地局での使用に利用可能ではないと判定することはさらに、
前記基地局の識別子を、前記既存のＬＩＰＡ  ＰＤＮコンテキストに関連付けられた識別子と比較すること、または、
前記メッセージからＩＰアドレスを抽出し、前記ＩＰアドレスが、前記基地局に関連付けられたＩＰアドレスと一致しないと判定すること、
のうちの少なくとも１つを備える、請求項３８に記載の方法。
【請求項４２】
前記既存のＬＩＰＡ  ＰＤＮコンテキストが前記基地局での使用に利用可能ではないと判定することはさらに、
前記メッセージと共に明示的に送信されたローカル・ゲートウェイＩＰアドレスを受信することと、
前記ローカル・ゲートウェイＩＰアドレスを、前記既存のＬＩＰＡ  ＰＤＮコンテキストに関連付けられたＬ−ＧＷのＩＰアドレスと比較することと、
前記ローカル・ゲートウェイＩＰアドレスが、前記既存のＬＩＰＡ  ＰＤＮコンテキストに関連付けられたＬ−ＧＷのＩＰアドレスと一致しないと判定することと
を備える請求項３８に記載の方法。
【請求項４３】
無線通信に関連付けられたローカル・インターネット・プロトコル・アクセス・コンテキスト（ＬＩＰＡコンテキスト）を終了させるように構成された装置であって、
電子メッセージを送信および受信するための通信インタフェースと、
非アクティブなＬＩＰＡコンテキストを識別し終了させるように構成された命令群を格納するためのメモリとを備え、
前記命令群は、
前記通信インタフェースから、ユーザ機器（ＵＥ）のモビリティに関連する電子メッセージを受信し、既存のＬＩＰＡコンテキストが、前記ＵＥに関連付けられているかを識別し、前記既存のＬＩＰＡコンテキストが、前記装置と通信可能に接続されたノードにおいてサービスを提供するかを判定する評価モジュールと、
前記既存のＬＩＰＡコンテキストが、前記ノードにおいて現在のサービスを提供しない場合に、前記ノードに関連付けられたローカル・ゲートウェイ（Ｌ−ＧＷ）にリリース命令を送信する終了モジュールと、
を備えるコンピュータ実行可能なモジュールによって実行される、装置。
【請求項４４】
前記電子メッセージは、前記ノードに接続されたアクセス端末が、第２のノードへのハンドオーバを実行する場合に、前記通信インタフェースにおいて受信される、請求項４３に記載の装置。
【請求項４５】
前記電子メッセージは、前記ノードに接続されたアクセス端末が、第２のノードとの初期接続を確立する場合に、前記通信インタフェースにおいて受信される、請求項４３に記載の装置。
【請求項４６】
前記評価モジュールは、
前記第２のノードの識別子を、前記既存のＬＩＰＡコンテキストに関連付けられた識別子と比較すること、または、
前記電子メッセージからＩＰアドレスを抽出し、前記ＩＰアドレスが、前記ノードに関連付けられたＩＰアドレスと一致しないと判定すること、
に少なくとも部分的に基づいて、前記既存のＬＩＰＡコンテキストが、前記ノードにおいてサービスを提供するかを判定する、請求項４５に記載の装置。
【請求項４７】
前記評価モジュールは、
前記電子メッセージから、前記電子メッセージのソースに関連付けられたローカル・ゲートウェイＩＰアドレスを取得することと、
前記ローカル・ゲートウェイＩＰアドレスが、前記ノードに関連付けられたＬ−ＧＷのＩＰアドレスと一致しないと判定することと、
によって、前記既存のＬＩＰＡコンテキストが、前記ノードにおいてサービスを提供するかを判定する、請求項４３に記載の装置。
【請求項４８】
無線通信に関連付けられたローカル・インターネット・プロトコル・アクセス（ＬＩＰＡ）コンテキストを終了させるように構成された装置であって、
基地局との無線接続をアクセス端末が確立していることを示すメッセージを受信する手段と、
既存のＬＩＰＡパケット・データ・ネットワーク・コンテキスト（既存のＬＩＰＡ  ＰＤＮコンテキスト）が、前記基地局における使用に利用可能ではないと判定する手段と、
前記既存のＬＩＰＡ  ＰＤＮコンテキストを終了させるために、前記既存のＬＩＰＡ  ＰＤＮコンテキストに関連付けられたローカル・ゲートウェイ（Ｌ−ＧＷ）へ非アクティブ化要求を送る手段と
を備える装置。
【請求項４９】
無線通信に関連付けられたローカル・インターネット・プロトコル・アクセス（ＬＩＰＡ）コンテキストを終了させるように構成された少なくとも１つのプロセッサであって、
基地局との無線接続をアクセス端末が確立していることを示すメッセージを受信するモジュールと、
既存のＬＩＰＡパケット・データ・ネットワーク・コンテキスト（既存のＬＩＰＡ  ＰＤＮコンテキスト）が、前記基地局における使用に利用可能ではないと判定するモジュールと、
前記既存のＬＩＰＡ  ＰＤＮコンテキストを終了させるために、前記既存のＬＩＰＡ  ＰＤＮコンテキストに関連付けられたローカル・ゲートウェイ（Ｌ−ＧＷ）へ非アクティブ化要求を送るモジュールと
を備えるプロセッサ。
【請求項５０】
コンピュータ読取可能媒体を備えるコンピュータ・プログラム製品であって、
前記コンピュータ読取可能媒体は、
基地局との無線接続をアクセス端末が確立していることを示すメッセージを、コンピュータに対して受信させるためのコードと、
既存のＬＩＰＡパケット・データ・ネットワーク・コンテキスト（既存のＬＩＰＡ  ＰＤＮコンテキスト）が、前記基地局における使用に利用可能ではないことを前記コンピュータに判定させるためのコードと、
前記既存のＬＩＰＡ  ＰＤＮコンテキストを終了させるために、前記コンピュータに対して、前記既存のＬＩＰＡ  ＰＤＮコンテキストに関連付けられたローカル・ゲートウェイ（Ｌ−ＧＷ）へ非アクティブ化要求を送信させるためのコードと
を備えるコンピュータ・プログラム製品。
【発明の詳細な説明】
【優先権主張】
【０００１】
本特許出願は、２００９年４月２３日出願の「ローカル・インターネット・プロトコル（ＩＰ）アクセス・トラフィックのためにパケット・データ・ネットワーク（ＰＤＮ）接続の確立を可能にする方法および装置」（METHODS AND APPARATUS TO ENABLE ESTABLISHMENT OF PACKET DATA NETWORK (PDN) CONNECTIVITY FOR LOCAL INTERNET PROTOCOL (IP) ACCESS TRAFFIC）と題された仮特許出願６１／１７２、１９８号と、２００９年５月８日出願の「ローカルＩＰアクセス機能インジケーションのための方法および装置」（METHOD AND APPARATUS FOR LOCAL IP ACCESS CAPABILITY INDICATION）と題された仮特許出願６１／１７６、６４９号に対する優先権を主張する。これらは本願の譲受人に譲渡されており、参照によって本明細書に組み込まれている。
【技術分野】
【０００２】
以下の記載は、一般に、無線通信に関し、さらに詳しくは、ネットワーク構成において、無縁通信のためのローカル・インターネット・プロトコル・アクセス・トラフィックのためのパケット・データ・ネットワーク接続を容易にすることに関する。
【背景技術】
【０００３】
無線通信システムは、例えば、音声コンテンツ、データコンテンツ等のようなさまざまなタイプの通信コンテンツを提供するために広く開発された。一般的な無線通信システムは、利用可能なシステム・リソース（例えば、帯域幅、送信電力）を共有することにより、複数のユーザとの通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム等を含む。さらに、これらシステムは、例えば、第３世代パートナシップ計画（３ＧＰＰ）、３ＧＰＰロング・ターム・イボリューション（ＬＴＥ）、ウルトラ・モバイル・ブロードバンド（ＵＭＢ）、または、例えばイボリューション・データ・オプティマイズド（ＥＶ−ＤＯ）のようなマルチ・キャリア無線仕様、あるいはこれら技術の１または複数の改訂技術等に準拠しうる。
【０００４】
通常、無線多元接続通信システムは、複数のモバイル・デバイスのための通信を同時にサポートすることができる。おのおののモバイル・デバイスは、順方向リンクおよび逆方向リンクによる送信を介して、１または複数の基地局と通信することができる。順方向リンク（すなわち、ダウンリンク）は、基地局からモバイル・デバイスへの通信リンクを称し、逆方向リンク（すなわち、アップリンク）は、モバイル・デバイスから基地局への通信リンクを称する。さらに、モバイル・デバイスと基地局との間の通信は、単一入力単一出力（ＳＩＳＯ）システム、複数入力単一出力（ＭＩＳＯ）システム、複数入力複数出力（ＭＩＭＯ）システム等によって確立されうる。
【０００５】
モバイル通信における最近の進歩は、モバイル・ネットワークおよびインターネット・プロトコル（ＩＰ）ベースのネットワークの統合を含んでいる。この統合によって、ＩＰタイプのネットワークで利用可能な大量のマルチメディア・リソースが、モバイル電話、ラップトップ・コンピュータ等でアクセス可能になりうる。さらに、この統合によって、回路交換およびパケット交換通信を含む高品質音声通信が、さまざまなタイプのネットワーク・インタフェース（例えば、無線ローカル・エリア・ネットワーク、ブロードバンドＩＰ、ダイヤル・アップ、セルラ・ラジオ・ネットワーク等）によって利用可能となった。さらに、コア・ネットワーク・インフラストラクチャが時間とともに進歩すると、モバイルおよびＩＰ通信の統合を達成するための追加のメカニズムが実現される。したがって、無線通信において進行中の最適化は、現代の無線通信システムについての現実である。
【０００６】
さらなる進歩は、共通の領域内で適用されうるさまざまなタイプの基地局を見てきた。この結果、ヘテロジニアスなアクセス・ポイント・ネットワークをもたらした。例えば、地理的領域におけるマクロ基地局からの貧弱な信号強度を観察する地理的領域の部分においてターゲットとされた有効通信範囲を提供するために、マクロ基地局の従来の展開に加えて、例えばマクロ基地局およびピコ基地局のような低電力基地局が、計画されたマクロ展開内に含まれる。他の状況では、屋内ビルディングまたはコンプレクスのために同様な有効通信範囲を提供するために、１または複数の低電力基地局が、ショッピング・モール、大規模ビルディング等のような屋内に展開されうる。
【０００７】
オペレータ展開された基地局に加えて、サブキャリアまたは無線サービス・ユーザによって展開される新たなタイプの基地局が出現している。オペレータ展開された基地局とは対照的に、これら加入者展開された基地局が、個々の加入者によって、さまざまな場所において確立されうる。加入者展開された基地局は、例えば住居、事務所、アパートメント・ビルディング等のような制限されたエリア内の無線サービス・ユーザのために十分なアクセル利点を提供しうる。しかしながら、例えばＷｉＦｉルータ等のような類似の小電力ローカル・アクセス・ポイントと張り合うような、加入者展開された基地局の高密度な展開からの干渉を緩和することを含むさまざまなチャレンジもある。したがって、無線ネットワーキングにおいて顕著な進行中の構成は、計画された基地局展開内で、および、他のパーソナルなあるいはローカルな無線ネットワークと、加入者展開された基地局とを統合することを含む。
【発明の概要】
【０００８】
以下は、１または複数の態様の基本的な理解を与えるために、そのような態様の簡略化された概要を示す。この概要は、考えられるすべての態様の広範囲な概観ではなく、すべての態様の重要要素や決定的要素を識別することも、何れかまたは全ての態様のスコープを線引きすることも意図されていない。その唯一の目的は、後に示されるより詳細な記載に対する前置きとして、本開示の１または複数の態様のうちのいくつかの概念を、簡略化された形式で表すことである。
【０００９】
主題とする開示は、セルラ通信のためにローカル・インターネット・プロトコル・アクセス（ＬＩＰＡ）を確立することを提供する。主題とする開示の特定の態様によれば、開示は、ユーザ機器（ＵＥ）のためのパケット・ネットワーク接続を、ＬＩＰＡ接続を求める要求として確立する要求を識別するためのメカニズムである。識別されると、ＵＥに関連付けられた、または、加入者展開された基地局に関連付けられたローカル・ゲートウェイが識別され、ＵＥのためのＬＩＰＡトラフィックをサポートするためのパケット・コンテキストが確立される。
【００１０】
他の態様では、ＬＩＰＡ対応のネットワークにおいてＵＥモビリティを管理するメカニズムが提供される。ＵＥが基地局との接続を確立した場合、無線通信は、モビリティ管理エンティティで受信されうる。その後、モビリティ管理エンティティは、ＬＩＰＡコンテキストが、モビリティ管理エンティティに関連付けられたローカル・ゲートウェイに存在するかを識別しうる。ＬＩＰＡコンテキストが基地局で利用可能な場合、ＬＩＰＡコンテキストが維持されうる。そうではない場合、モビリティ管理エンティティは、ＬＩＰＡコンテキストを終了させるために、ローカル・ゲートウェイへ終了命令を送信しうる。
【００１１】
少なくとも１つの他の態様では、ＵＥは、従来のパケット・ネットワーク接続を求める要求と、ＬＩＰＡコンテキストを求める要求とを区別するように構成されうる。ＬＩＰＡコンテキストを求める要求が識別されると、ＵＥは、ＬＩＰＡトラフィックに関連付けられたアクセス・ポイント名（ＡＰＮ）を生成し、このＡＰＮを、サービス提供基地局へと転送し、ＬＩＰＡトラフィックのためのＬＩＰＡコンテキストを開始する。したがって、ＵＥは、ＬＩＰＡコンテキストの、無線通信のコンテキストにおける効率的な実施を容易にしうる。
【００１２】
上記に加えて、さまざまな態様が、ローカル・インターネット・プロトコル・アクセス（ＬＩＰＡ）トラフィックのためのパケット接続を確立するための無線通信の方法に関する。この方法は、パケット・データ・ネットワーク接続（ＰＤＮ接続）を求める要求を備える電子メッセージを受信することを備えうる。さらに、この方法は、ＰＤＮ接続を求める要求がＬＩＰＡ  ＰＤＮ要求であるかを判定することと、ＰＤＮ接続がＬＩＰＡ  ＰＤＮ要求であると判定された場合、ＬＩＰＡ  ＰＤＮ要求に関連付けられたローカル・ゲートウェイ（Ｌ−ＧＷ）を識別することとを備えうる。
【００１３】
主題とする開示のその他の態様では、無線通信と連携したＬＩＰＡトラフィックのためのパケット接続を確立するように構成された装置が提供される。この装置は、電子通信を送信および受信するための通信インタフェースと、ＬＩＰＡトラフィックのためのネットワーク・コンテキストを確立するように構成された命令群を格納するためのメモリとを備えうる。これら命令群は、コンピュータ実行可能なモジュールによって実行される。特に、これらモジュールは、パケット・ネットワーク接続を求める要求を、通信インタフェースから取得し、この要求が、ＬＩＰＡトラフィックを求めるものであるかを判定する分析モジュールと、ＬＩＰＡトラフィックをサポートし、しかも、この要求を発行するエンティティに関連付けられているＬ−ＧＷを識別する獲得モジュールとを含む。
【００１４】
さらに別の態様では、無線通信と連携したＬＩＰＡコンテキストを確立するように構成された装置が提供される。この装置は、パケット・ネットワーク接続を求める要求を備える電子メッセージを受信する手段と、この要求が、ＬＩＰＡトラフィックを確立することを求める要求であるかを判定する手段とを備えうる。さらに、この装置は、この要求が、ＬＩＰＡトラフィックを確立するための要求であると判定された場合、ＬＩＰＡトラフィックをサポートするためのＬ−ＧＷを識別する手段を備えうる。
【００１５】
別の態様によれば、開示されたものは、無線通信に連携したＬＩＰＡコンテキストを確立するように構成された少なくとも１つのプロセッサである。プロセッサ（単数または複数）は、パケット・ネットワーク接続を求める要求を備える電子メッセージを受信するモジュールと、この要求がＬＩＰＡトラフィックを確立することを求める要求であるかを判定するモジュールとを備える。さらに、プロセッサ（単数または複数）は、この要求が、ＬＩＰＡトラフィックを確立する要求であると判定された場合、ＬＩＰＡトラフィックをサポートするＬ−ＧＷを識別するモジュールを備えうる。
【００１６】
さらなる態様によれば、主題とする開示は、コンピュータ読取可能媒体を備えるコンピュータ・プログラム製品を提供する。このコンピュータ読取可能媒体は、コンピュータに対して、パケット・ネットワーク接続を求める要求を備える電子メッセージを受信させるためのコードと、コンピュータに対して、この要求が、ＬＩＰＡトラフィックを確立する要求であるかを判定させるためのコードとを備えうる。さらに、このコンピュータ読取可能媒体は、コンピュータに対して、この要求が、ＬＩＰＡトラフィックを確立するための要求であると判定された場合、ＬＩＰＡトラフィックに関連付けられたＬ−ＧＷを識別させるためのコードを備えうる。
【００１７】
前述に加えて、開示は、無線通信のための方法である。この方法は、ＰＤＮ接続を求める要求を、ＬＩＰＡトラフィックを求める要求として識別することを備えうる。さらに、この方法は、ＬＩＰＡ  ＡＰＮを生成することと、ＬＩＰＡ  ＡＰＮと、ＰＤＮ接続を求める要求とを、サービス提供基地局へ無線で送信して、ＬＩＰＡトラフィックのためのＰＤＮ接続を開始することとを備えうる。
【００１８】
さらなる態様によれば、無線通信のために構成された装置が提供される。この装置は、無線通信を送信および受信するための無線通信インタフェースを備えうる。さらに、この装置は、ＬＩＰＡネットワーク・コンテキストを開始するための命令群を格納するためのメモリを備えうる。この命令群は、コンピュータ実行可能モジュールによって実行される。さらに詳しくは、これらのモジュールは、パケット・ネットワーク・コンテキストを確立することを求める要求がＬＩＰＡ  ＰＤＮに関連しているかを判定するフィルタリング・モジュールと、ＬＩＰＡ  ＡＰＮを生成し、ＰＤＮ接続を求めるために無線メッセージ内にＬＩＰＡ  ＡＰＮを含めるコンテキスト・モジュールとを備えうる。ここで、無線メッセージは、無線通信インタフェースによって、装置にサービス提供する基地局へ送信される。
【００１９】
別の態様では、主題とする開示は、無線通信のための装置を提供する。この装置は、ＰＤＮ接続を求める要求を、ＬＩＰＡトラフィックを求める要求として識別する手段を備えうる。さらに、この装置は、ＬＩＰＡ  ＡＰＮを生成するための手段を備えうる。さらに、この装置はまた、ＬＩＰＡ  ＡＰＮと、ＰＤＮ接続を求める要求とを、サービス提供基地局へ無線で送信して、ＬＩＰＡトラフィックのためのＰＤＮ接続を開始する手段を備えうる。
【００２０】
１または複数のさらなる態様によれば、無線通信のために構成された少なくとも１つのプロセッサが開示される。プロセッサ（単数または複数）は、ＰＤＮ接続を求める要求を、ＬＩＰＡトラフィックを求める要求として識別するモジュールを備えうる。さらに、プロセッサ（単数または複数）は、ＬＩＰＡ  ＡＰＮを生成するモジュールと、ＬＩＰＡ  ＡＰＮと、ＰＤＮ接続を求める要求とを、サービス提供基地局へ無線で送信し、ＬＩＰＡトラフィックのためのＰＤＮ接続を開始するモジュールとを備えうる。
【００２１】
別の態様では、主題とする開示は、コンピュータ読取可能媒体を備えるコンピュータ・プログラム製品を含む。さらに、このコンピュータ読取可能媒体は、コンピュータに対して、ＰＤＮ接続を求める要求を、ＬＩＰＡトラフィックを求める要求として識別させるためのコードを備えうる。さらに、このコンピュータ読取可能媒体は、コンピュータに対して、ＬＩＰＡ  ＡＰＮを生成させるためのコードと、コンピュータに対して、ＬＩＰＡ  ＡＰＮと、ＰＤＮ接続を求める要求とを、サービス提供基地局へ無線で送信し、ＬＩＰＡトラフィックのためのＰＤＮ接続を開始させるためのコードとを備えうる。
【００２２】
主題とする開示のその他の態様によれば、無線通信を含むＬＩＰＡトラフィックのためのパケット接続を終了させる方法が提供される。この方法は、基地局との無線接続をアクセス端末が確立していることを示すメッセージを受信することを備えうる。さらに、この方法は、既存のＬＩＰＡ  ＰＤＮコンテキストが基地局での使用に利用可能ではないと判定することを備えうる。この方法はさらに、既存のＬＩＰＡ  ＰＤＮコンテキストを終了させるために、既存のＬＩＰＡ  ＰＤＮコンテキストに関連付けられたＬ−ＧＷへ非アクティブ化要求を送ることを備えうる。
【００２３】
さらなる態様では、無線通信に関連付けられたＬＩＰＡコンテキストを終了させるように構成された装置が提供される。この装置は、電子メッセージを送信および受信するための通信インタフェースと、非アクティブなＬＩＰＡコンテキストを識別し終了させるように構成された命令群を格納するためのメモリとを備えうる。これら命令群は、コンピュータ実行可能なモジュールによって実行される。これらモジュールは、通信インタフェースからの、ユーザ機器（ＵＥ）のモビリティに関連する電子メッセージの受信、既存のＬＩＰＡコンテキストが、ＵＥに関連付けられているかの識別、および、既存のＬＩＰＡコンテキストが、装置と通信可能に接続されたノードにおいてサービスを提供するかの判定を行う評価モジュールを備えうる。さらに、これらモジュールは、既存のＬＩＰＡコンテキストがノードにおいて現在のサービスを提供しない場合に、ノードに関連付けられたＬ−ＧＷにリリース命令を送信する終了モジュールを備えうる。
【００２４】
主題とする開示はさらに、無線通信に関連付けられたＬＩＰＡコンテキストを終了させるように構成された装置を提供する。この装置は、基地局との無線接続をアクセス端末が確立していることを示すメッセージを受信する手段を備えうる。この装置は、さらに、既存のＬＩＰＡ  ＰＤＮコンテキストが基地局での使用に利用可能ではないと判定する手段を備えうる。さらに、この装置はまた、既存のＬＩＰＡ  ＰＤＮコンテキストを終了させるために、既存のＬＩＰＡ  ＰＤＮコンテキストに関連付けられたＬ−ＧＷへ非アクティブ化要求を送る手段を備えうる。
【００２５】
さらに別の態様によれば、無線通信に関連付けられたＬＩＰＡコンテキストを終了させるように構成された少なくとも１つのプロセッサが開示される。プロセッサ（単数または複数）は、基地局との無線接続をアクセス端末が確立していることを示すメッセージを受信するモジュールを備えうる。それに加えて、プロセッサ（単数または複数）は、既存のＬＩＰＡ  ＰＤＮコンテキストが基地局での使用に利用可能ではないと判定するモジュールを備えうる。プロセッサ（単数または複数）はさらに、既存のＬＩＰＡ  ＰＤＮコンテキストを終了させるために、既存のＬＩＰＡ  ＰＤＮコンテキストに関連付けられたＬ−ＧＷへ非アクティブ化要求を送るモジュールを備えうる。
【００２６】
１または複数のさらなる態様では、主題とする開示は、コンピュータ読取可能媒体を備えたコンピュータ・プログラム製品を備える。このコンピュータ読取可能媒体はまた、コンピュータに対して、基地局との無線接続をアクセス端末が確立していることを示すメッセージを受信させるためのコードを備える。さらに、コンピュータ読取可能媒体は、コンピュータに対して、既存のＬＩＰＡ  ＰＤＮコンテキストが基地局での使用に利用可能ではないと判定させるためのコードを備える。さらに、このコンピュータ読取可能媒体はまた、コンピュータに対して、既存のＬＩＰＡ  ＰＤＮコンテキストを終了させるために、既存のＬＩＰＡ  ＰＤＮコンテキストに関連付けられたＬ−ＧＷへ非アクティブ化要求を送信させるためのコードを備える。
【００２７】
前述した目的および関連する目的を達成するために、１または複数の実施形態は、後に十分に記載され、特許請求の範囲において特に指摘されている特徴を備える。以下の記載および添付図面は、１または複数の態様のある例示的な特徴を詳細に記載する。しかしながら、これらの特徴は、さまざまな態様の原理が適用されるさまざまな方式のうちの極く一部しか示しておらず、本説明は、そのような態様およびそれらの均等物の全てを含むことが意図されている。
【図面の簡単な説明】
【００２８】
【図１】図１は、ローカル・インターネット・プロトコル・アクセス（ＬＩＰＡ）無線通信をサポートする無線通信システムの例のブロック図を示す。
【図２】図２は、本明細書に開示された態様にしたがって、ＬＩＰＡトラフィックのためのパケット・ネットワーク接続のセットアップを容易にする装置の例のブロック図を示す。
【図３】図３は、さらなる態様において、ＬＩＰＡに関連する無線通信のモビリティをサポートする装置の例のブロック図を示す。
【図４】図４は、無線通信のためにＬＩＰＡコンテキストを識別し開始するように構成された装置の例のブロック図を示す。
【図５】図５は、主題とする開示のさまざまな態様にしたがうユーザ機器（ＵＥ）の例のブロック図を示す。
【図６】図６は、主題とする開示のさらに別の態様にしたがうネットワーク・コール・セットアップ図の例の図解を示す。
【図７】図７は、主題とする開示の別の態様にしたがうネットワーク・コール終了図の例を示す。
【図８】図８は、さらなる態様にしたがって、セルラ通信のためのＬＩＰＡコンテキストのためのネットワーク・サポートを提供する方法の例のフローチャートを示す。
【図９】図９は、さらに別の態様にしたがって、ＬＩＰＡパケット・データ・ネットワーク・コンテキストを識別し確立するための方法の例のフローチャートを示す。
【図１０】図１０は、主題とする開示の他の態様において、ＬＩＰＡコンテキストを求める要求を開始するための方法の例のフローチャートを示す。
【図１１】図１１は、セルラ通信のモビリティをサポートするためにＬＩＰＡコンテキストを終了させるための方法のフローチャートを図示する。
【図１２】図１２は、さらに別の態様にしたがって、セルラ通信のためのＬＩＰＡコンテキストを確立する電子デバイスの例のブロック図を示す。
【図１３】図１３は、ＬＩＰＡネットワーク接続を求める要求を識別し、開始するための電子デバイスの例のブロック図を示す。
【図１４】図１４は、無線ノードにおいて、既存のＬＩＰＡコンテキストの終了を容易にする電子デバイスの例のブロック図を示す。
【図１５】図１５は、主題とする開示のさまざまな態様を実施しうる無線通信装置の例のブロック図を示す。
【図１６】図１６は、さらなる態様にしたがって、無線通信のためのセルラ環境の例のブロック図を示す。
【図１７】図１７は、ネットワーク環境内におけるアクセス・ポイント基地局の配置を可能にする典型的な通信システムを例示する。
【発明を実施するための形態】
【００２９】
さまざまな態様が、全体を通じて同一要素を示すために同一の参照番号が使用される図面を参照して説明される。以下の記載では、説明の目的のために、１または複数の態様の完全な理解を提供するために、多くの具体的な詳細が述べられる。しかしながら、そのような態様は、これら具体的な詳細無しで実現されうることが明確である。他の事例では、１または複数の態様の記載を容易にするために、周知の構成およびデバイスがブロック図形式で示される。
【００３０】
さらに、本開示のさまざまな態様が、以下にさらに詳細に記載される。本明細書における教示は、さまざまな広範な形態で具体化され、本明細書で開示されているあらゆる具体的な構成および／または機能は、単に代表例であることが明らかであるべきである。本明細書における教示に基づいて、当業者であれば、本明細書に開示された態様は、その他任意の態様と独立して実施され、これら態様のうちの複数は、さまざまな方式で組み合わされうることを認識すべきである。例えば、本明細書に記載された任意の数の態様を用いて装置が実施され、および／または、方法が実現されうる。さらに、本明細書に記載された態様のうちの１または複数に追加された、あるいは、本明細書に記載された態様のうちの１または複数とは異なる他の構成および／または機能を用いて、装置が実装され、および／または、方法が実現されうる。例として、本明細書で記述された方法、デバイス、システム、および装置の多くは、とりわけ、加入者展開された基地局と連携してＬＩＰＡ接続を確立および終了させるコンテキストで記載されている。当業者であれば、その他の通信環境に対しても、同様な技術が適合することを認識すべきである。
【００３１】
加入者展開された基地局を無線アクセス・ネットワークに導入することによって、これらネットワークへのパーソナル・アクセスによる大幅な柔軟性およびコンシューマ制御が可能となる。これら加入者展開された基地局はまた、ホーム基地局とも称され、ホーム・ノードＢ（ＨＮＢ）基地局、エンハンストＨＮＢ、またはホームｅノードＢ（ＨｅＮＢ）（ここで、用語Ｈ（ｅ）ＮＢは、ＨＮＢかＨｅＮＢのいずれかでありうるエンティティを称する）、フェムトセル、フェムト基地局等を含みうる。これら用語は加入者展開された基地局の別の例であるが、これら用語は、（例えば、１または別のこのような基地局のみを適用する特定のセルラ・システムに連携したように）別に言及されている場合を除いて、一般に、加入者展開された基地局を称する。
【００３２】
ネットワーク無線インフラストラクチャおよびリソースが時間とともに増加し、モバイル・デバイスの処理機能およびユーザ・インタフェース機能がより洗練されてきたので、ユーザは、以前はパーソナル・コンピュータおよび固定線通信とのみ利用可能であった機能を実行するためにモバイル・デバイスを利用することができる。高品質音声通信、インターネット・アクセス、マルチメディア・アクセスおよび再生、ならびにエンタテイメントのために小型のポータブルなデバイスを利用できる機能は、非常に望ましい商品をもたらす。しかしながら、マクロ無線ネットワークが、大規模な公衆利用のために展開されているので、屋内受信は、（例えば、ビルディング、隔離、土地の地形等によるラジオ周波数信号の吸収によって）しばしば、屋外受信よりも貧弱でありうる。加入者展開された基地局技術は、ユーザに対して、パーソナル無線接続による顕著な制御を提供する。これはしばしば、屋内接続問題のほとんどまたは全てを解決する。したがって、加入者展開された基地局はさらに、マクロ・ネットワークのための準最適な環境であっても、ユーザ機器（ＵＥ）モビリティを拡大しうる。
【００３３】
さらに、ホーム基地局は、ホーム・ネットワークまたは企業ネットワークにおいて、ローカル・インターネット・プロトコル・アクセスを別のデバイスへ提供するように構成されうる。一般に、ホーム・ネットワークまたは企業ネットワークにおける他のデバイスに関連付けられたトラフィックは、ローカル・インターネット・プロトコル・アクセス（ＬＩＰＡ）トラフィックと称される。ＵＥが、ホーム・ネットワーク内のエンティティと通信するのにホーム基地局を使用するために、ＩＰ接続ポイントが、ホーム・ノードまたはホーム・アクセス・ポイント（これは、例えば、ホーム基地局であるか、あるいは、ホーム基地局およびその他の構成要素を含むエンティティでありうる）において生成される。ＩＰ接続ポイントを提供することは、パケット・ネットワーク接続の生成と、ＩＰ接続ポイントを提供するノードにおけるＧｉ基準ポイントまたはＳＧｉ基準ポイントの終了とを意味する。パケット・ネットワーク接続は、例えば、パケット・データ・ネットワーク接続（ＰＤＮ接続）、パケット・データ・プロトコル・コンテキスト（ＰＤＰコンテキスト）等を含みうる一方、Ｇｉ基準ポイントは、ゲートウェイＧＰＲＳサービス提供ノード（ＧＧＳＮ）とＰＤＮとの間の基準ポイントであり、ＳＧＩ基準ポイントは、ＰＤＮゲートウェイとＰＤＮとの間の基準ポイントである。それに加えて、ＩＰ接続ポイントを提供するノードは、例えば、ホーム・ノード、ホーム・アクセス・ポイント、ＧＧＳＮ、ＰＤＮゲートウェイ等を含みうる。ＰＤＮは、本明細書で利用されるように、例えば、ＩＰマルチメディア・サブシステム（ＩＭＳ）サービスを提供するための、オペレータ外部の公衆またはプライベートなパケット・データ・ネットワーク、あるいは、イントラ・オペレータ・パケット・データ・ネットワークを称しうる。
【００３４】
ＵＥに提供されるその他のＩＰ接続をエミュレートするためにＬＩＰＡ接続をモデル化することは、ホーム・ノードにおいて、ＬＩＰＡのためにＩＰ接続ポイントを提供する機能をエミュレートすることを含む。そして、Ｇｉ基準ポイントまたはＳＧｉ基準ポイントに類似の基準ポイントを導入することによってモデル化されうる。これは、ホーム・ノード自身で終了する。その後、類似の基準ポイントが、ＬＩＰＡトラフィックのためだけのＩＰ接続ポイントを提供するために割り当てられる。これは、ローカルＳＧｉ基準ポイントまたはＬ−ＳＧｉ基準ポイントと称されうる。ノードは、既存の無線プロトコルに基づいて、ＵＥがホーム・ノードにおいて、ローカルにルーティングされたトラフィックにアクセスするために、ＩＰアドレスをＵＥへ割り当てる。これを担当するエンティティは、パケット・データ・ネットワーク・ゲートウェイ、またはＰＤＮ  ＧＷ、またはＧＧＳＮである。したがって、Ｈ（ｅ）ＮＢにおいてローカル・ルータ・アクティビティをエミュレートするために、ＰＤＮ  ＧＷ／ＧＧＳＮのサブセットが、ホーム・ノード内に配置される。ＰＤＮ  ＧＷ／ＧＧＳＮのサブセットは、本明細書では、ローカルＰＤＮゲートウェイ（Ｌ−ＰＧＷ）、あるいは、単にローカル・ゲートウェイ（Ｌ−ＧＷ）と称される。このＬ−ＧＷは、ＬＩＰＡトラフィックのためのＰＤＰコンテキストまたはＰＤＮ接続をサポートし、ローカル・トラフィックにアクセスするために、ＵＥのＩアドレスを割り当てる。Ｌ−ＧＷに関連するいくつかのチャレンジがまだある。例は、ＬＩＰＡ  ＰＤＮ接続を求める要求と、従来のＰＤＮ接続とを区別することと、ＵＥが別の基地局またはアクセス・ポイントに接続する（例えば、Ｈ（ｅ）ＮＢからマクロ基地局へのハンドオーバを実行する）場合、既存のＬＩＰＡ  ＰＤＮ接続をどのようにして終了させるかを含む。主題とする開示のさまざまな態様は、これらおよび関連する問題に対処する。
【００３５】
図１は、本開示の態様にしたがう典型的な無線通信システム１００の例のブロック図を示す。無線通信システム１００は、エア・インタフェースによってホーム・ノード（例えば、加入者展開された基地局またはアクセス・ポイント）１０４に無線接続されたユーザ機器（ＵＥ）１０２を備える。ホーム・ノード１０４は、ホーム・ノード１０４に接続された端末のためのＬＩＰＡ  ＩＰ接続をサポートする（Ｌ−ＧＷ）１０６に接続される。（あるいは、破線によって示されているように、Ｌ−ＧＷ１０６は、ホーム・ノード１０４の一部として含まれうる。）小さな点線は、ローカルなＩＰトラフィックがＵＥ１０２のために採るルートを示す。
【００３６】
ホーム・ノード１０４への音声サービスまたはデータ・サービスの実施のために、ホーム・ノードは、（例えば、モビリティ管理エンティティ［ＭＭＥ］のような）モビリティ・エンティティ１０８と、サービス提供ゲートウェイ１１０に接続されている。モビリティ・エンティティ１０８は、（例えば、セルラ・ネットワークのような）無線サービス・プロバイダ・ネットワークへ、および、（例えば、パケット・ゲートウェイ１１２におけるような）ＩＰトラフィックをサポートするＩＰ接続へのアクセスを容易にするために、さらに、Ｌ−ＧＷ１０６において、ＬＩＰＡトラフィックのためのコンテキストまたは接続を確立しうる。これらサービスは、サービス提供ゲートウェイ１１０によって実施されうる。一方、サービス提供ゲートウェイ１１０は、パケット・ゲートウェイ１１２に接続されている。パケット・ゲートウェイ１１２は、ＵＥ１０２に関する加入、加入状態、課金レート、アクセス可能サービス等を検証するために、ポリシーおよび課金サーバ１１４にアクセスする。ＵＥ１０２に関連付けられた加入がＩＰトラフィックをサポートする場合、パケット・ゲートウェイ１１２によって、１または複数のＩＰネットワーク１１６（例えば、インターネット、イントラネット、ＩＰ関連サービス等）へのアクセスが、このＩＰトラフィックを促進できるようになる。
【００３７】
音声コールまたはデータ・コールを確立するために、ＵＥ１０２は、このようなトラフィックを求める要求を生成し、ホーム・ノード１０４へ送信する。その後、ホーム・ノード１０４は、この要求を、モビリティ・エンティティ１０８へ転送する。モビリティ・エンティティ１０８は、どのようなタイプのサービスがこの要求に関連付けられているかを判定し、ホーム・ノード１０４に関連付けられた適切なゲートウェイにおいて、トラフィックのための接続を開始する。モビリティ・エンティティ１０８のための１つの問題は、ＬＩＰＡ接続を求める要求を、従来のＩＰ接続を求める要求と区別することである。モビリティ・エンティティ１０８の別の問題は、現在使用されていない既存のＬＩＰＡ接続をキャンセルするか、あるいは終了させることである。これら問題は、以下に、より詳細に説明される。
【００３８】
図２は、主題とする開示の特定の態様にしたがう無線通信システム２００の例のブロック図を示す。無線通信システム２００は、ホーム・ノード２０４（例えば、加入者展開された基地局）と通信可能に接続されたモビリティ・エンティティ２０２を備える。適切なモビリティ・エンティティ２０２の例は、ロング・ターム・イボリューション無線ネットワークのＭＭＥ、ユニバーサル・モバイル・テレコミュニケーション・システム・ネットワークのサービス提供ＧＰＲＳサポート・ノード［Ｓ−ＧＳＭ（登録商標）］等を含みうる。モビリティ・エンティティ２０２は、ホーム・ノード２０４によってサービス提供される１または複数のＵＥ（図示せず）のためのＩＰ接続の開始および終了を管理するように構成されうる。接続要求をサービスするために要求される接続のタイプを決定するために、モビリティ・エンティティ２０２は、ＬＩＰＡコンテキスト装置２０６を適用しうる。ＬＩＰＡコンテキスト装置２０６は、有線通信リンクを介して電子通信を送信および受信する通信インタフェース２０８を備えうる。１つの実例では、この有線通信リンクは、ホーム・ノード２０４に関連付けられたＨ（ｅ）ＮＢ２１４を備えたＳ１１リンク、または、ホーム・ノード２０４に関連付けられたＬ−ＧＷ２１８を備えたローカルなＳ１１（Ｌ−Ｓ１１）リンクを備えうる。さらに、Ｓ１インタフェースまたはＩｕ有線インタフェースは、（モビリティ・エンティティ２０２とホーム・ノード２０４とが統合されている特定のネットワーク実装に依存して）モビリティ・エンティティ２０２およびＨ（ｅ）ＮＢ２１４に通信可能に接続しうる。
【００３９】
前述に加えて、ＬＩＰＡコンテキスト装置２０６は、ＬＩＰＡトラフィックのためのネットワーク・コンテキストを確立するように構成された命令群を格納するためのメモリ２１０を備えうる。ここで、これら命令群は、コンピュータ実行可能モジュールによって実行されうる。これらのモジュールは、（ホーム・ノード２０４によってサービス提供されたＵＥによって開始された）ホーム・ノード２０４のＨ（ｅ）ＮＢ２１４によって送信されたパケット・ネットワーク接続を求める要求２１４Ａを、通信インタフェース２０８から取得するように構成された分析モジュール２１２を含みうる。さらに、分析モジュール２１２は、要求２１４ＡがＬＩＰＡトラフィックを求めるものであるかを判定するモジュールでありうる。１つの実例では、この判定は、この要求とともに含まれているアクセス・ポイント名（ＡＰＮ）が、特にＬＩＰＡ接続またはＬＩＰＡトラフィックに関連付けられた用語を備えているかを判定することによって実施されうる。この用語は、例えば、「ローカル」またはその他の適切な用語のような用語である「ＬＩＰＡ」を含みうる。ＡＰＮ用語のＬＩＰＡ接続との関連付けは、例えばメモリ２１０に格納されうる。これは、上記判定を行うために、分析モジュール２１２によって参照されうる。別の実例では、この判定は、この要求をモビリティ・エンティティ２０２にルーティングしている第２のエンティティが（以下に示すように、要求２１４Ａを発行しているエンティティと比較して）、ホーム基地局であるか、ホーム基地局ゲートウェイであるかを識別することによって実行されうる。分析モジュール２１２は、例えば、デフォルトとして、Ｈ（ｅ）ＮＢ２１４によってルーティングされたＩＰ要求が、ＬＩＰＡ接続を求める要求であるものと推論しうる。
【００４０】
上記に加えて、ＬＩＰＡコンテキスト装置２０６は、ＬＩＰＡトラフィックをサポートし、かつ、要求２１４Ａを発行しているエンティティ（例えば、ＵＥ）に関連付けられたＬ−ＧＷ２１８を識別する獲得モジュール２１６を備えうる。Ｌ−ＧＷ  ２１８を識別するためにさまざまなメカニズムが適用されうる。１つの例において、獲得モジュール２１６は、Ｈ（ｅ）ＮＢ２１４のＩＰアドレスを求める要求２１４Ａを分析しうる。ＩＰアドレスは、例えば、要求２１４Ａを備える無線メッセージの明示的な情報要素で指定されるか、あるいは、無線メッセージのソースＩＰヘッダから抽出されうる。ＩＰアドレスが発見された場合、ＩＰアドレスにセットアップ・コマンド２２２Ａを送るために、トラフィック・セットアップ・モジュール２２２が適用されうる。したがって、例えば、Ｌ−ＧＷ２１８およびＨ（ｅ）ＮＢ２１４が展開され、共通のＩＰアドレスを共有する場合、セットアップ・コマンド２２２ＡがＬ−ＧＷ２１８で受信されうる。一方、Ｌ−ＧＷ２１８は、セットアップ・コマンド２２２Ａを受信することに応答して、ＬＩＰＡ  ＰＤＮコンテキストを確立する。
【００４１】
要求２１４Ａが、Ｈ（ｅ）ＮＢ２１４のＩＰアドレスを含んでいない場合、あるいは、セットアップ・コマンド２２２ＡをＩＰアドレスへ送信したときに、コンテキストが確立されない場合、獲得モジュール２１６は、要求２１４Ａをもって指定された、規定されたＬＩＰＡアクセス・ポイント名（規定されたＬＩＰＡ  ＡＰＮ）を求める要求２１４Ａを分析するためにドメイン・モジュール２２０を適用しうる。規定されたＬＩＰＡ  ＡＰＮが識別された場合、ドメイン・モジュール２２０は、完全に記述されたドメイン名（ＦＱＤＮ）を生成するために、この規定されたＬＩＰＡ  ＡＰＮを適用する。ドメイン・モジュール２２０はその後、ドメイン名サーバ・クエリ（ＤＮＳクエリ）を実行するためにこのＦＱＤＮを利用し、このＤＮＳクエリに応答して、Ｌ−ＧＷ２１８のＩＰアドレスを取得する。その後、トラフィック・セットアップ・モジュール２２２は、ＬＩＰＡ  ＰＤＮコンテキストを開始するために、Ｌ−ＧＷ２１８のＩＰアドレスにセットアップ・コマンド２２２Ａを送信しうる。
【００４２】
図３は、ＬＩＰＡ対応のネットワーク内のＵＥ３０８のためのモビリティをサポートしうるネットワーク・システム３００の例のブロック図を示す。特に、ネットワーク・システム３００は、（図示しないが、ＬＩＰＡコンテキスト３０６がＵＥ３０８のために確立された場合、Ｌ−ＧＷ３０４に接続された）ホーム基地局から、別のホーム基地局へ、マクロ・ネットワークへ、または、（Ｌ−ＧＷ３０４以外のノードを称する）任意の適切な遠隔無線ノード３１８へハンドオフしているＵＥ３０８から得られるＬＩＰＡ接続を識別し、終了させるように構成されたモビリティ・エンティティ３０２を備えうる。
【００４３】
モビリティ・サポートを実行するために、モビリティ・エンティティ３０２は、コンテキスト終了装置３１０を含みうる。コンテキスト終了装置３１０は、（例えば、Ｌ−ＧＷ３０４に関連付けられたホーム・ノード、または、図示しないネットワーク・ゲートウェイのような）他のエンティティのうち、Ｌ−ＧＷ３０４および遠隔無線ノード３１８との間で電子メッセージを送信および受信するための通信インタフェース３１２を備えうる。さらに、コンテキスト終了装置３１０は、非アクティブなＬＩＰＡコンテキストを識別および終了させるように構成された命令群を格納するためのメモリ３１４を備えうる。これら命令群は、コンテキスト終了装置３１０とともに含まれた１または複数のコンピュータ実行可能モジュールによって実行されうる。特に、評価モジュール３１６は、ＵＥ３０８のモビリティに関連する通信インタフェース３１２からの電子メッセージ３１８Ａの受信、および、ＵＥ３０８に関連付けられた既存のＬＩＰＡコンテキスト３０６の識別を行うモジュールとして適用されうる。電子メッセージ３１８Ａは、例えば、有線メッセージ、無線メッセージ、あるいは、例えばＵＥ３０８によって送信され、遠隔無線ノード３１８によって有線メッセージとして再パッケージされた無線メッセージのような、有線メッセージと無線メッセージとの適切な組み合わせでありうる。例として、電子メッセージ３１８Ａは、ＵＥ３０８と遠隔無線ノード３１８との間でセッションが確立されたことを示す、遠隔無線ノード３１８によって送信されたネットワーク・メッセージでありうる。したがって、１つの事例では、Ｌ−ＧＷ３０４に関連付けられたノードに接続されたアクセス端末（ＵＥ３０８）が、第２のノード（遠隔無線ノード３１８）へのハンドオーバを実行する場合、電子メッセージが、通信インタフェース３１２で受信されうる。別の事例では、アクセス端末が、第２のノードとの初期接続を確立した（例えば、アクセス端末の構成に依存して、第２のノードにキャンプした、あるいは、基地局のアクティブ・セット内に第２のノードを含む）場合、電子メッセージが通信インタフェース３１２で受信されうる。
【００４４】
電子メッセージ３１８Ａが受信され、既存のＬＩＰＡコンテキスト３０６が識別されると、評価モジュール３１６は、既存のＬＰＡコンテキスト３０６が、モビリティ・エンティティ３０２に通信可能に接続されたノードでサービスを提供するかを判定する。この判定は、例えば、遠隔無線ノード３１８の識別子（例えば、ＩＰアドレス）を、既存のＬＩＰＡコンテキスト３０６に関連付けられた識別子と比較することに少なくとも部分的に基づきうる。別の例として、この判定は、電子メッセージ３１８ＡのソースＩＰヘッダからＩＰアドレスを抽出することと、このＩＰアドレスが、Ｌ−ＧＷ３０４に関連付けられたＩＰアドレスに一致しないことを判定することと、に少なくとも部分的に基づきうる。電子メッセージ３１８Ａが、遠隔無線ノード３１８に関連付けられたＬ−ＧＷのＩＰアドレスを指定する情報要素を含んでいる場合、評価モジュール３１６は、情報要素からこのＩＰアドレスを取得し、Ｌ−ＧＷ３０４のＩＰドレスが、遠隔無線ノード３１８に関連付けられたＬ−ＧＷのＩＰアドレスに一致するか否かを判定しうる。何れの場合であれ、遠隔無線ノード３１８のＩＰアドレス、または、遠隔無線ノード３１８に関連付けられたＬ−ＧＷのＩＰアドレスが、Ｌ−ＧＷ３０４のＩＰアドレスに一致しない場合、評価モジュール３１６は、ＵＥ３０８がＬ−ＧＷ３０４にもはや接続されていないと推測し、既存のＬＩＰＡコンテキスト３０６が、ＵＥ３０８による使用のために利用不可であることを示す。
【００４５】
評価モジュール３１６による判定がなされると、コンテキスト終了装置３１０は、ＵＥ３０８にサービス提供しているノードにおいて既存のＬＩＰＡコンテキスト３０６が現在のサービスを提供していない場合に、リリース命令３２０ＡをＬ−ＧＷ３０４へ送信する終了モジュール３２０を適用しうる。リリース命令３２０Ａを受信すると、Ｌ−ＧＷ３０４は、既存のＬＩＰＡコンテキスト３０６を削除する。その結果、コンテキスト終了装置３１０は、有効なＬＩＰＡコンテキスと無効なＬＩＰＡコンテキストとを区別し、コンテキストを開始しているＵＥによる使用が利用不可であるコンテキストを終了させるために適用されうる。
【００４６】
図４は、主題とする開示のさらに別の態様にしたがう無線システム４００の追加例のブロック図を示す。無線システム４００は、エア・インタフェースによってホーム・ノード４０４と通信可能に接続されたＵＥ４０２を備える。ホーム・ノード４０４は、Ｈ（ｅ）ＮＢ４１６を、さらには、Ｌ−ＧＷ４１４を備える。これは、ホーム・ノード４０４においてＨ（ｅ）ＮＢ４１６とともに配置されているか、あるいは、（例えば、ホーム・ノード４０４またはＨ（ｅ）ＮＢ４１６として個別のＩＰアドレスを備える）別の態様では、ホーム・ノード４０４の外部に存在しうる。
【００４７】
ＵＥ４０２は、（例えば、前述したような図１のパケット・ゲートウェイ１１２である）ネットワーク・パケット・ゲートウェイで実施される従来のＩＰ接続を求める要求と、Ｌ−ＧＷ４１４で実施されうるＬＩＰＡ接続を求める要求との区別を支援するように構成される。特に、ＵＥ４０２は、ＬＩＰＡ開始装置４０６を備えうる。ＬＩＰＡ開始装置４０６は、無線通信を送信および受信する無線通信インタフェース４０８を備えうる。１つの実例では、無線通信インタフェース４０８は、ＵＥ４０２の無線トランシーバを含みうる。別の実例では、無線通信インタフェース４０８は、ＵＥ４０２の無線トランシーバに連結しているか、その代わりに、ＵＥ４０２の無線トランシーバを使用するインタフェースでありうる。さらに、ＬＩＰＡ開始装置４０６は、ＬＩＰＡネットワーク・コンテキストを開始するための命令群を格納するメモリ４２０を備えうる。この命令群は、ＬＩＰＡ開始装置４０６のコンピュータ実行可能モジュールのセットによって実施される。
【００４８】
動作中、ＬＩＰＡ開始装置４０６は、パケット・ネットワーク・コンテキストを確立することを求める要求４１２Ａが、ＬＩＰＡパケット・データ・ネットワーク（ＬＩＰＡ  ＰＤＮ）に関連しているかを判定するフィルタリング・モジュール４１０を備えうる。例として、フィルタリング・モジュール４１０は、ＬＩＰＡトラフィックを求めるアプリケーション４１２から要求４１２Ａがなされる場合、あるいは、ローカル・ネットワークにアクセスするように構成されたアプリケーションから要求４１２Ａがなされる場合、要求４１２ＡがＬＩＰＡ  ＰＤＮに関連していると判定する。別の例において、フィルタリング・モジュール４１０は、ＵＥ４０２（例えば、ホーム・ノード４０４）にサービス提供する基地局がホーム基地局である場合、要求４１２ＡがＬＩＰＡ  ＰＤＮに関連していると判定する。また別の例において、フィルタリング・モジュール４１０は、ＵＥ４０２にサービス提供する基地局がＬＩＰＡトラフィックに関連付けられている場合、要求４１２ＡがＬＩＰＡ  ＰＤＮに関連していると判定する。この関連付けは、ホーム・ノード４０４によって明示的に指定されうるか、あるいは、メモリ４２０に格納された、ＬＩＰＡ関連ホーム・ノードのリストに基づきうる。
【００４９】
フィルタリング・モジュール４１０が、要求４１２Ａを、ＬＩＰＡ  ＰＤＮを求める要求であると識別すると、コンテキスト・モジュール４１８が適用され、ＬＩＰＡ  ＡＰＮ４２０Ａの生成、および、ＰＤＮ接続を求める無線メッセージ４１８ＡへのＬＩＰＡ  ＡＰＮ４２０Ａの包含がなされうる。その後、無線メッセージ４１８Ａは、無線通信インタフェース４０８によって、ＵＥ４０２（Ｈ（ｅ）ＮＢ４１６）にサービス提供する基地局へと送信される。Ｈ（ｅ）ＮＢ４１６は、要求４１２Ａを受信すると、ＵＥ４０２のためのＬＩＰＡ通信を容易にするために、Ｌ−ＧＷ４１４においてＬＩＰＡ  ＰＤＮを確立する。１つの特定の態様では、コンテキスト・モジュール４１８が、いくつかの方式のうちの１つで、ＬＩＰＡ  ＡＰＮ  ４２０Ａを生成しうる。１つの事例では、コンテキスト・モジュール４１８が、少なくとも部分的に、ＵＥ４０２にサービス提供する基地局のホーム基地局識別子から、ＬＩＰＡ  ＡＰＮ４２０Ａを生成する。このホーム基地局識別子は、ＩＰアドレス、例えばセル識別子のようなその他の適切な識別子、基地局識別子、ノードＢ識別子、ｅノードＢ識別子、クローズされた加入者グループ（ＣＳＧ）識別子、ロケーション／ルーティング／トラッキング・エリア識別子等を備えうる。別の事例では、コンテキスト・モジュール４１８は、少なくとも部分的に、ＬＩＰＡ  ＰＤＮに関連付けられた明示的な用語を用いて、ＬＩＰＡ  ＡＰＮ４２０Ａを生成する。例えば、用語「ＬＩＰＡ」、「ローカル」、「ホーム」、「ワーク」、「企業」、「ホット・スポット」等が、明示的な用語として適用されうる。したがって、１つの例示的な例として、コンテキスト・モジュール４１８は、少なくとも部分的に、ＬＩＰＡ  ＡＰＮにおける「ＬＩＰＡ」を用いて、ＬＩＰＡ  ＡＰＮを生成する。これは、要求４１２Ａが、ＬＩＰＡ  ＰＤＮを求める要求であることを示唆する。
【００５０】
図５は、１または複数の加入者展開された基地局（ホームＢＳ）５０４と無線通信インタフェースを介して通信可能に接続されたＵＥ５０２を備えるシステム５００の例のブロック図を示す。ホームＢＳ（単数または複数）５０４は、ＤＬサブフレームで送信する一方、ＵＥ５０２は、ＵＬサブフレームで応答する。さらに、ＵＥ５０２は、本明細書で記載されたように、従来のＩＰトラフィックとＬＩＰＡトラフィックとの両方のために、ＩＰ接続がホームＢＳ（単数または複数）５０４において確立されることを要求するように構成されうる。
【００５１】
ＵＥ５０２は、信号を受信する少なくとも１つのアンテナ５０６（例えば、１または複数の入力／出力インタフェースを備える）と、受信機（単数または複数）５０８とを含む。受信機は、受信した信号に対して一般的な動作（例えば、フィルタ、増幅、ダウンコンバート等）を実行する。一般に、アンテナ５０６および送信機５２４（集合的にトランシーバと称される）は、ホームＢＳ（単数または複数）５０４との無線データ交換を容易にするように構成されうる。さらに、アンテナ５０６、送信機５２４、受信機５０８、復調器５１０、および変調器５２２は、データ・プロセッサ５１２およびＬＩＰＡ開始装置５１６を含むＵＥ５０２のさまざまな構成要素によって、無線通信インタフェースとして適用されうる。
【００５２】
アンテナ５０６および受信機（単数または複数）５０８はまた、復調器５１０に接続されている。この復調器は、受信したシンボルを復調し、このような信号を、評価のために、データ・プロセッサ（単数または複数）５１２へ提供しうる。データ・プロセッサ（単数または複数）５１２は、ＵＥ５０２の１または複数の構成要素（アンテナ５０６、受信機５０８、復調器５１０、メモリ５１４、ＬＩＰＡ開始装置５１６、変調器５２２、送信機５２４）を制御かつ／または参照しうることが認識されるべきである。さらに、データ・プロセッサ（単数または複数）５１２は、１または複数のモジュール、アプリケーション、エンジン、あるいは、ＵＥ５０２の機能を実行することに関連する情報または制御を備えるその他のものを実行しうる。
【００５３】
さらに、ＵＥ５０２のメモリ５１４は、データ・プロセッサ（単数または複数）５１２に動作可能に接続される。メモリ５１４は、送信、受信等されるべきデータと、遠隔デバイス（例えば、ホームＢＳ（単数または複数）５０４）との無線通信を実行するのに適切な命令群とを格納しうる。具体的には、これら命令群は、上述された、あるいは、本明細書のどこかで説明されたさまざまな機能を実施するために利用されうる。さらに、図示していないが、メモリ５１４は、ＬＩＰＡ開始装置５１６に関連付けられ、プロセッサ（単数または複数）５１２によって実行されるモジュール、アプリケーション、エンジン等（例えば、フィルタリング・モジュール５１８、コンテキスト・モジュール５２０）を格納しうる。
【００５４】
本明細書で説明されるように、ＬＩＰＡ開始装置５１６は、ＬＩＰＡ  ＰＤＮ接続を求める要求を区別するためにＵＥ５０２によって適用されうる。さらに、主題とする開示のいくつかの態様によれば、ＬＩＰＡ開始装置５１６は、図４のＬＩＰＡ開始装置４０６に実質的に類似しうることが認識されるべきである。したがって、ＵＥ５０２は、パケット・ネットワーク・コンテキストを求める要求の分析、および、この要求がＬＩＰＡ  ＰＤＮに関連しているかの判定を行うためにフィルタリング・モジュール５１８を適用しうる。さらに、ＬＩＰＡ  ＡＰＮを生成し、ＬＩＰＡ  ＰＤＮ接続を要求するために無線メッセージ内にＬＩＰＡ  ＰＤＮを含めるコンテキスト・モジュール５２０が適用されうる。この無線メッセージは、ホームＢＳ（単数または複数）５０４に関連付けられたＬ−ＧＷにおけるＬＩＰＡ  ＰＤＮ接続の確立を開始するために、変調器５２２、送信機５２４、およびアンテナ５０６を適用するデータ・プロセッサ５１２によって、ホームＢＳ（単数または複数）５０４のうちの１または複数へ送信されうる。
【００５５】
図６は、主題とする開示の態様にしたがうＬＩＰＡセットアップ動作のネットワーク・コール図６００の例を示す。ネットワーク・コール図６００は、ＵＥ６０２Ａ、ホーム基地局６０２Ｂ、ＭＭＥ６０２Ｃ、およびＬ−ＰＧＷ６０２Ｄを含むいくつかのネットワーク関連エンティティを備える。６０４では、ＵＥ６０２Ａが、ＰＤＮ接続要求を開始する。これは、ＭＭＥ６０２Ｃへ送信される。６０６では、ＭＭＥ６０２Ｃが、Ｌ−ＰＧＷ６０２Ｄへ転送される生成セッション要求メッセージを生成する。本明細書で記載されたように、ＰＤＮ接続要求を、ＬＩＰＡ  ＰＤＮを求める要求として識別することによって、生成セッション要求メッセージは、具体的に、ＬＩＰＡコンテキストを求めるメッセージとなりうる。さらに、本明細書で記載されたように、ＭＭＥ６０２Ｃは、ＵＥ６０２ＡのためのＬＩＰＡ  ＰＤＮを確立するために適切なＬ−ＰＧＷ６０２Ｄを識別しうる。
【００５６】
６０８では、Ｌ−ＰＧＷ６０２Ｄが、生成セッション応答メッセージをＭＭＥ６０２Ｃへ送信する。ＭＭＥ６０２Ｃは、その後、６１０において、ホーム基地局６０２Ｂへ送信されるベアラ・セットアップ要求／ＰＤＮ接続受諾メッセージを生成する。ホーム基地局６０２Ｂは、ベアラ・セットアップ要求／ＰＤＮ接続受諾メッセージを受信すると、６１２において、ＵＥ６０２ＡにＲＲＣ接続再構築メッセージを送る。６１４では、ＵＥ６０２Ａが、ＲＲＣ接続再構築完了メッセージを持って応答する。その後、ホーム基地局６０２Ｂは、６１６において、ベアラ・セットアップ応答メッセージをＭＭＥ６０２Ｃへ送る。さらに、ＵＥ６０２Ａは、６１８において、ホーム基地局６０２Ｂへのダイレクトな転送を開始する。ネットワーク・コール図６００は、６２０において、ＰＤＮ接続完了メッセージをもって終了する。これは、ホーム基地局６０２ＢによってＭＭＥ６０２Ｃへ送信される。
【００５７】
図７は、主題とする開示のさらなる態様にしたがうＬＩＰＡ完了動作のためのネットワーク・コール図７００の例を示す。ＬＩＰＡ完了動作は、ＵＥ７０２Ａ、ホーム基地局７０２Ｂ、ＭＭＥ７０２Ｃ、およびＬ−ＰＧＷ７０２Ｄを含む。７０４では、ＵＥ７０２Ａが、ＬＩＰＡ  ＰＤＮをサポートしない基地局（マクロ基地局または別のホーム基地局を含むホーム基地局以外の基地局）と、ハンドオーバを実行するか、初期アクセス接続を確立する。７０６では、ＭＭＥ７０２Ｃが、削除セッション要求メッセージを生成し、このメッセージを、Ｌ−ＰＧＷ７０２Ｄへ送信する。このメッセージは、本明細書で説明したように、ＭＭＥ７０２Ｃによって、ＵＥ７０２Ａがハンドオーバまたは基地局アクセス手順を実行したことを示すインジケーションが受信され、既存のＬＩＰＡ  ＰＤＮが非アクティブであるとの判定がなされると、生成されうる。さらに、７０８では、Ｌ−ＰＧＷ７０２Ｄが、ＭＭＥ７０２Ｃに送信される削除セッション応答メッセージを持って応答する。７１０では、ＭＭＥ７０２Ｃが、非アクティブ化ベアラ要求メッセージを生成し、このメッセージをホーム基地局７０２Ｂへ送信する。７１２では、ホーム基地局７０２Ｂが、ＵＥ７０２Ａに、ＲＲＣ接続再構築メッセージを送る。これに応答して、ＵＥ７０２Ａは、７１４において、ＲＲＣ接続再構築完了メッセージをホーム基地局７０２Ｂへ送る。ネットワーク・コール図７００は、７１６で終了する。ここでは、ホーム基地局７０２Ｂが、ＭＭＥ７０２Ｃに、非アクティブ化ベアラ応答メッセージを送る。
【００５８】
前述のシステム、コール図、または装置が、いくつかの構成要素、モジュール、および／または通信インタフェース間のインタラクションに関して記載された。このようなシステムおよび構成要素／モジュール／インタフェースは、ここで明示されたこれら構成要素／モジュールまたはサブ・モジュール、これら明示された構成要素／モジュールまたはサブ・モジュール、および／または、追加のモジュールのうちのいくつかを含みうることが認識されるべきである。例えば、無線通信システムは、ＬＩＰＡコンテキスト装置２０６およびコンテキスト終了装置３１０を備えるモビリティ・エンティティ２０２と、ホーム・ノード２０４と、ＬＩＰＡ開始装置５１６を備えるＵＥ５０２と、または、これらまたはその他のエンティティの異なる組み合わせとを含みうる。サブ・モジュールはまた、親モジュール内に含まれたものとは別のモジュールに通信可能に接続されたモジュールとしても実現されうる。さらに、１または複数のモジュールは、収集機能を提供する単一のモジュールに結合されうることが注目されるべきである。例えば、評価モジュール３１６は、非アクティブなＬＩＰＡコンテキストを識別すること、および、非アクティブなＬＩＰＡコンテキストをリリースする要求を単一の構成要素によって発行することを容易にするために、終了モジュール３２０を含みうる。これら構成要素はまた、本明細書に明示的に記載されていないが、当業者によって知られている１または複数のその他の構成要素とともにインタラクトしうる。
【００５９】
さらに、認識されるように、上記開示されたシステムおよび以下に開示される方法のさまざまな部分は、人工知能または知識あるいはルール・ベースの構成要素、サブ構成要素、プロセッサ、手段、方法、またはメカニズム（例えば、サポート・ベクトル・マシン、ニューラル・ネットワーク、エキスパート・システム、ベイエジアン・ビリーフ・ネットワーク、ファジー・ロジック、データ融合エンジン、クラシファイヤ等）を含むか、これらから構成される。このような構成要素は、とりわけ、本明細書に記載されたものに加えて、これらシステムおよび方法の一部を、効率的および知的のみならず、より適応可能にするために、実行されるあるメカニズムまたは処理を自動化しうる。
【００６０】
前述した典型的なシステムを考慮すると、開示された主題にしたがって実施される方法が、図８乃至１１のフローチャートを参照してより良く理解されるであろう。説明を単純にする目的のために、これら方法は、一連のブロックとして図示および説明されているが、権利主張される主題は、これらブロックの順序によって限定されず、いくつかのブロックは、本明細書に図示および記載されたものと別の順序で、および／または、他のブロックと同時に生じうることが理解および認識されるべきである。さらに、後述する方法を実現するために、例示されたすべてのブロックが、必ずしも必要とされる訳ではない。それに加えて、以下に開示される方法および本明細書全体にわたる方法は、これら方法をコンピュータへ伝送および転送することを容易にするために、製造物品に格納されることが可能であることが認識されるべきである。本明細書で使用される用語「製造物品」は、任意のコンピュータ読取可能デバイス、キャリアと連携しているデバイス、または記憶媒体からアクセスすることが可能なコンピュータ・プログラムを含むことが意図される。
【００６１】
図８は、主題とする開示の態様にしたがって、モバイル・デバイスのためのＬＩＰＡ接続を確立するための方法８００のフローチャートを例示する。方法８００は、８０２において、パケット・データ・ネットワーク接続（ＰＤＮ接続）を求める要求を備える電子メッセージを受信しうる。この電子メッセージは、無線メッセージ、有線メッセージ、または、これらの適切な組み合わせでありうる。方法８００は、８０４において、ＰＤＮ接続を求める要求がＬＩＰＡ  ＰＤＮ要求であるかを判定することを備えうる。この判定は、例えば、ＰＤＮ接続を求める要求に関連付けられたＡＰＮを、ＬＩＰＡ  ＡＰＮ名のリストと比較することによってなされうる。あるいは、この判定は、ＬＩＰＡ接続に関連付けられたＡＰＮ内の用語を識別することによってなされうる。このような用語は、「ＬＩＰＡ」、「ローカル」、「ホーム」、「ワーク」、「企業」、「ホット・スポット」等、あるいはこれらの適切な組み合わせを含みうる。それに加えて、方法８００は、８０６において、ＰＤＮ接続が、ＬＩＰＡ  ＰＤＮ要求であると判定された場合、ＬＩＰＡ  ＰＤＮ要求に関連付けられたＬ−ＧＷを識別することを備えうる。Ｌ−ＧＷを識別することは、例えば、Ｌ−ＧＷのＩＰアドレスを取得することによって、１または複数の適切な手法で達成されうる。これは、電子メッセージのヘッダからＩＰアドレスを抽出することによって、および、ＩＰアドレスをＬ−ＧＷに等しくすることによって達成されうる。別の事例では、これは、例えば、ＩＰアドレスがこの電子メッセージとともに送信され、この電子メッセージの一部として含まれている場合、この電子メッセージと連携されているＩＰアドレスを受信することによって達成されうる。別の例において、Ｌ−ＧＷを識別することは、ＤＮＳサーバを用いてＬ−ＧＷを求めるＤＮＳクエリを実行することと、ＤＮＳサーバから、Ｌ−ＧＷのＩＰアドレスを受信することとを備えうる。このＤＮＳクエリは、ＬＩＰＡ  ＰＤＮ要求からＬＩＰＡ  ＡＰＮを抽出すること、完全に記述されたドメイン名をＬＩＰＡ  ＡＰＮから生成すること、および、完全に記述されたドメイン名を用いてＤＮＳクエリを実行すること、によって実行されうる。少なくとも１つのケースでは、Ｌ−ＧＷを識別することは、Ｌ−ＧＷに接続されたホーム基地局のＩＰアドレスを取得することと、ホーム基地局のＩＰアドレスをＬ−ＧＷのＩＰアドレスとして適用することとを備える。後者は、例えば、Ｌ−ＧＷがホーム基地局とともに配置されている場合に利用されうる。
【００６２】
Ｌ−ＧＷまたはＬ−ＧＷのＩＰアドレスが識別されると、方法８００はさらに、Ｌ−ＧＷに関連するＰＤＮ接続を確立するために、Ｌ−ＧＷへセッション要求メッセージを送信することを備えうる（例えば、前述したネットワーク・コール図６００を参照方）。これが確立されると、参照番号８０２において受信されたＰＤＮ接続を求める要求を開始するエンティティへ、応答が送信されうる。ＰＤＮ接続は、このエンティティによって終了されるまで、あるいは、ＰＤＮ接続が非アクティブであると認められるまで維持されうる。
【００６３】
図９は、主題とする開示のさらなる態様にしたがう追加の方法９００のフローチャートを例示する。方法９００は、９０２において、ＰＤＮ接続を求める要求を受信することを備えうる。方法９００は、９０４において、（要求内に含まれているか、あるいは、要求とともに受信された、）要求に関連付けられたＡＰＮを、ＬＩＰＡ  ＡＰＮ名のリスト、あるいは、ＬＩＰＡ  ＰＤＮ接続に関連付けられた用語のリストと比較することを備えうる。方法９００は、９０６において、ＬＩＰＡトラフィックに関連付けられた用語をＡＰＮが含んでいるかを判定することを備え、方法９００は、９０８において、この要求が、本当にＬＩＰＡ  ＰＤＮ要求であるのかを判定しうる。９１０では、この要求が、ＬＩＰＡ  ＰＤＮ要求である場合、方法９００は９１４に移る。そうではない場合、この要求は、非ローカル・ＩＰトラフィックのための従来のＰＤＮ接続を求める要求であると考えられる。後者の場合、方法９００は、９１２に移り、この要求の従来のＩＰコンテキストを確立する。
【００６４】
９１４では、方法９００は、この要求に関連付けられた、あるいは、この要求を発行するエンティティに関連付けられた（例えば、このエンティティにサービス提供するホーム基地局のような）Ｌ−ＧＷのＩＰアドレスまたはその他の適切な識別子を取得する要求を検査しうる。これは、この要求を分析することによって、識別子またはＩＰアドレスが、この要求内で、あるいは、この要求に連携して送信されたかを判定することによって達成されうる。９１６では、識別子またはＩＰアドレスを取得することによって、Ｌ−ＧＷが識別されたかの判定がなされる。このように判定された場合、方法９００は９１８に進み、Ｌ−ＧＷとのＰＤＮ接続を確立するために、生成デフォルト・ベアラ要求がＬ−ＧＷへ送信される。そうではなく、Ｌ−ＧＷは参照番号９１６において識別されない場合、方法９００は９２０に進む。
【００６５】
方法９００は、９２０において、この要求を送信するエンティティのＩＰアドレスを、この要求のＩＰヘッダから取得することと、９２２において、デフォルト・ベアラ要求セットアップを、このエンティティのＩＰアドレスへ送信することとを備えうる。９２４において、ベアラ・セットアップ応答が受信されると、方法９００は、９２４において終了する。そうではない場合、方法９００は、このエンティティのＩＰアドレスが、Ｌ−ＧＷのＩＰアドレスではないものと推論し、９２４に進む。９２４では、方法９００は、ＤＮＳクエリに応答して取得されたＩＰアドレスへベアラ要求セットアップを送信することによって、Ｌ−ＧＷのＩＰアドレスを取得するためにＤＮＳクエリを開始し、ＩＰアドレスを受信すると、参照番号９１８へ進み、この要求に応答してＬＩＰＡ  ＰＤＮを確立する。
【００６６】
図１０は、無線通信と連携したＬＩＰＡ接続を確立することを容易にするための方法１０００の例のフローチャートを図示する。１００２において、方法１０００は、ＰＤＮ接続を求める要求を、ＬＩＰＡトラフィックを求める要求として識別することを備えうる。ＰＤＮ接続を求める要求を、ＬＩＰＡトラフィックを求める要求として識別することは、１つの事例において、この要求を発行しているＵＥにサービス提供している基地局（サービス提供基地局）が、ホーム基地局であると判定することを備えうる。別の例において、識別することは、その代わりに、この要求が、ＬＩＰＡトラフィックを求めるコールを行うソフトウェア・アプリケーションから発行されたか、あるいは、ローカル・ネットワークにアクセスするための、ソフトウェア・アプリケーションからの要求であるかを判定することを備えうる。
【００６７】
この要求が、ＬＩＰＡトラフィックを求める要求であると識別されると、方法１０００は、１００４において、ＬＩＰＡ  ＡＰＮを生成することを備えうる。主題とする開示の少なくとも１つの態様では、ＬＩＰＡ  ＡＰＮを生成することは、まず、サービス提供基地局がＬＩＰＡ無線サービスに関連付けられていると判定することに基づきうるが、主題とする開示は、この１つの態様に限定されない。それに加えて、ＬＩＰＡ  ＡＰＮを生成することはさらに、サービス提供基地局のホーム基地局識別子を、ＬＩＰＡ  ＡＰＮの一部として指定することを備えうる。これは、例えば、ホーム基地局識別子がＬＩＰＡトラフィックに関連付けられている場合に利用されうる。代替例として、ＬＩＰＡ  ＡＰＮを生成することは、その代わりに、例えば、用語「ＬＩＰＡ」のようなＬＩＰＡトラフィックに関連付けられた用語を、ＬＩＰＡ  ＡＰＮの一部として明示的に指定することを備えうる。
【００６８】
方法１０００は、１００６において、ＬＩＰＡトラフィックのためのＰＤＮ接続を開始するために、ＰＤＮ接続を求める要求およびＬＩＰＡ  ＡＰＮを、サービス提供基地局へ無線送信することを備えうる。特に、ＬＩＰＡ  ＡＰＮが、ＬＩＰＡトラフィックが要求されていることを示唆するか、または、ＬＩＰＡトラフィックが要求されていることを示唆するように構築される場合、サービス提供基地局は、ＰＤＮ接続を求める要求を、非ＬＩＰＡトラフィックを求める要求から容易に区別しうる。
【００６９】
図１１は、無線ネットワークにおいてモビリティをサポートするために、無線通信を含むＬＩＰＡ接続のためのパケット接続を終了させるための方法１１００の例のフローチャートを図示する。方法１１００は、１１０２において、アクセス端末が基地局との無線接続を確立していることを示すメッセージを受信することを備えうる。一例において、メッセージを受信することは、基地局へのハンドオーバを実行するアクセス端末によって引き起こされる。代替例では、メッセージを受信することは、基地局との初期接続を確立するアクセス端末によって引き起こされる。
【００７０】
方法１１００は、１１０４において、既存のＬＩＰＡパケット・データ・ネットワーク・コンテキスト（既存のＬＩＰＡ  ＰＤＮコンテキスト）が、基地局における使用に利用可能ではないと判定することを備えうる。この判定は、基地局の識別子を、既存のＬＩＰＡ  ＰＤＮコンテキストに関連付けられた識別子と比較することと、これら識別子が一致しない場合、既存のＬＩＰＡ  ＰＤＮコンテキストが、基地局における使用に利用可能ではないものと推論することとを備えうる。代替案として、この判定は、このメッセージからＩＰアドレスを抽出することと、このＩＰアドレスが、基地局に関連付けられたＩＰアドレスと一致しないと判定することとを備えうる。後者の場合、既存のＬＩＰＡ  ＰＤＮコンテキストに関する同じ推論もなされうる。しかしながら、さらに別の代替態様では、この判定は、その代わりに、メッセージと共に明示的に送信されたローカル・ゲートウェイＩＰアドレスを受信することと、ローカル・ゲートウェイＩＰアドレスを、既存のＬＩＰＡ  ＰＤＮコンテキストに関連付けられたＬ−ＧＷのＩＰアドレスと比較することとを備えうる。この場合、ローカル・ゲートウェイＩＰアドレスが、既存のＬＩＰＡ  ＰＤＮコンテキストに関連付けられたＬ−ＧＷのＩＰアドレスと一致しないと判定されると、既存のＬＩＰＡ  ＰＤＮコンテキストは、基地局における使用のために利用可能ではないとの推論が導かれうる。方法１１００は、参照番号１１０４において、判定が終了すると、１１０６において、既存のＬＩＰＡ  ＰＤＮコンテキストを終了させるために、既存のＬＩＰＡ  ＰＤＮコンテキストに関連付けられたＬ−ＧＷに対して非アクティブ化要求を送信することを備えうる。
【００７１】
図１２、図１３、および図１４はそれぞれ、主題とする開示の態様にしたがって、ローカルＩＰネットワークのための無線通信を容易にするように構成された装置１２００、装置１３００、および装置１４００の例を示す。例えば、装置１２００、装置１３００、および装置１４００は、無線通信ネットワーク内に少なくとも部分的に存在するか、および／または、例えば、ノード、基地局、アクセス・ポイント、ユーザ端末、あるいは、モバイル・インタフェース・カードに接続されたパーソナル・コンピュータ等のような無線受信機内に存在しうる。装置１２００、装置１３００、および装置１４００は、プロセッサ、ソフトウェア、またはこれらの組み合わせ（例えば、ファームウェア）によって実現される機能を表す機能ブロックでありうる機能ブロックを含むものとして示されることが認識されるべきである。
【００７２】
装置１２００は、ＬＩＰＡ  ＰＤＮを従来のＩＰ  ＰＤＮ要求と区別することと、ＬＩＰＡ  ＰＤＮコンテキストを確立することとを含む、装置１２００の機能を実現するように構成されたモジュールまたは命令群を格納するためのメモリ１２０２と、これら命令群またはモジュールを実行するためのプロセッサ１２１０とを備える。特に、装置１２００は、ＰＤＮ接続を求める要求を備える電子メッセージを受信するモジュール１２０４を備えうる。さらに、装置１２００は、この要求が、ＬＩＰＡトラフィックを確立する要求であるかを判定するためのモジュール１２０６を備えうる。この判定は、この要求がホーム・ノード基地局から転送されたものか、あるいは、例えば、この要求が、ＬＩＰＡネットワークを指定するものか、あるいは、ＬＩＰＡ  ＡＰＮを備えているかに基づきうる。さらに、装置１２００は、この要求が、ＬＩＰＡトラフィックを確立する要求であると判定された場合に、ＬＩＰＡトラフィックをサポートするＬ−ＧＷを識別するためのモジュール１２０８を備えうる。Ｌ−ＧＷを識別することは、このＩＰアドレスが、この要求を転送するエンティティのＩＰアドレスと同じであると推論することによって、あるいは、この要求から、Ｌ−ＧＷのＩＰアドレスを抽出することによって、あるいは、この要求からＬＩＰＡ  ＰＡＮを取得し、ＬＩＰＡ  ＡＰＮを用いてＤＮＳクエリを実行し、Ｌ−ＧＷのＩＰアドレスをＤＮＳサーバから受信することによって、Ｌ−ＧＷのＩＰアドレスを取得することに基づきうる。
【００７３】
装置１３００は、無線通信のためのＬＩＰＡを容易にすることを含む、装置１３００のための機能を実行するための１または複数のモジュールまたは命令群を格納するためのメモリ１３０２と、これらモジュールまたは命令群を実行するためのプロセッサ１３１０とを備える。具体的には、装置１３００は、ＰＤＮ接続を求める要求を、ＬＩＰＡトラフィックを求める要求として識別するためのモジュール１３０４を備えうる。さらに、装置１３００は、モジュール１３０４の判定に基づいて、ＬＩＰＡ  ＡＰＮを生成するためのモジュール１３０６を備えうる。その上、装置１３００はさらに、ＬＩＰＡトラフィックのためのＰＤＮ接続を開始するために、装置１３００、または、装置１３００に接続されたエンティティのために無線サービスを提供するサービス提供基地局へと、ＬＩＰＡ  ＡＰＮ、および、ＰＤＮ接続を求める要求を無線で通信するためのモジュール１３０８を備えうる。
【００７４】
装置１４００は、無線通信のためにＬＩＰＡを提供することと連携してモビリティをサポートし、特に、非アクティブなＬＩＰＡコンテキストを識別し終了させるための命令群およびモジュールを格納するためのメモリ１４０２を備える。さらに、装置１４００は、前述のモジュールおよび命令群を実行するためのプロセッサ１４１０を備えうる。上記に加えて、装置１４００は、アクセス端末が基地局との無線接続を確立していることを示すメッセージを受信するためのモジュール１４０４を備えうる。このメッセージは、アクセス端末が、基地局との初期接続を確立すること、基地局にキャンプすること、基地局からサービスを要求すること、または、基地局へのハンドオーバを実行することを行なうこと、等に応じて受信されうる。さらに、装置１４００は、既存のＬＩＰＡ  ＰＤＮコンテキストが基地局での使用に利用可能ではないと判定するためのモジュール１４０６を備えうる。この判定は、例えば、基地局のＩＰアドレスの識別子を、既存のＬＩＰＡ  ＰＤＮコンテキストをサポートするＬ−ＧＷのＩＰアドレスまたは同等の識別子と比較することによってなされうる。
【００７５】
前述したものに加えて、装置１４００は、既存のＬＩＰＡ  ＰＤＮコンテキストを終了させるために、既存のＬＩＰＡ  ＰＤＮコンテキストをサポートするＬ−ＧＷへ非アクティブ化要求を送信するためのモジュール１４０８を備えうる。
【００７６】
図１５は、本明細書に開示された、いくつかの態様にしたがって、無線通信を容易にしうるシステム１５００の例のブロック図を例示する。ＤＬでは、アクセス・ポイント１５０５において、送信（ＴＸ）データ・プロセッサ１５１０が、トラフィック・データを受信、フォーマット、符号化、インタリーブ、および変調（またはシンボル・マップ）し、変調シンボル（「データ・シンボル」）を提供する。シンボル変調器１５１５は、このデータ・シンボルおよびパイロット・シンボルを受信して、処理し、シンボルのストリームを提供する。シンボル変調器１５１５は、データ・シンボルおよびパイロット・シンボルを多重化し、送信機ユニット（ＴＭＴＲ）１５２０にそれらを提供する。おのおのの送信シンボルは、データ・シンボル、パイロット・シンボル、あるいは、０の信号値でありうる。パイロット・シンボルは、おのおののシンボル期間において、連続的に送信される。パイロット・シンボルは、周波数分割多重化（ＦＤＭ）、直交周波数分割多重化（ＯＦＤＭ）、時分割多重化（ＴＤＭ）、周波数分割多重（ＦＤＭ）、あるいは符号分割多重化（ＣＤＭ）、または、これらの適切な組み合わせ、あるいは、同様な変調および／または送信技術がなされうる。
【００７７】
ＴＭＴＲ１５２０は、シンボルのストリームを受信し、これらを１または複数のアナログ信号に変換し、このアナログ信号をさらに調整（例えば、増幅、フィルタ、および周波数アップコンバート）して、無線チャネルによる送信に適したＤＬ信号を生成する。このＤＬ信号はその後、アンテナ１５２５を介して端末へ送信される。端末１５３０では、アンテナ１５３５が、このＤＬ信号を受信し、受信された信号を、受信機ユニット（ＲＣＶＲ）１５４０に提供する。受信機ユニット１５４０は、この受信された信号を、調整（例えば、フィルタ、増幅、および周波数ダウンコンバート）し、この調整された信号をデジタル化して、サンプルを得る。シンボル復調器１５４５は、受信されたパイロット・シンボルを取得し、チャネル推定のためにプロセッサ１５５０へ提供する。シンボル復調器１５４５はさらに、ＤＬに関する周波数応答推定値をプロセッサ１５５０から受信し、受信されたデータ・シンボルについてデータ復調を実行して、（送信されたデータ・シンボルの推定値である）データ・シンボル推定値を取得し、このデータ・シンボル推定値をＲＸデータ・プロセッサ１５５５へ提供する。ＲＸデータ・プロセッサ１５５５は、このデータ・シンボル推定値を復調（すなわち、シンボル・デマップ）し、デインタリーブし、復号することにより、送信されたトラフィック・データを復元する。シンボル復調器１５４５およびＲＸデータ・プロセッサ１５５５による処理は、アクセス・ポイント１５０５における、シンボル変調器１５１５およびＴＸデータ・プロセッサ１５１０による処理にそれぞれ相補的である。
【００７８】
ＵＬでは、ＴＸデータ・プロセッサ１５６０が、トラフィック・データを処理し、データ・シンボルを提供する。シンボル変調器１５６５は、このデータ・シンボルを受信し、パイロット・シンボルとともに多重化し、変調を実行し、シンボルのストリームを提供する。その後、送信機ユニット１５７０が、このシンボルのストリームを受信および処理して、ＵＬ信号を生成する。このアップリンク信号は、アンテナ１５３５によってアクセス・ポイント１５０５へ送信される。具体的には、ＵＬ信号は、ＳＣ−ＦＤＭＡ要件にしたがい、本明細書で記載されたような周波数ホッピング・メカニズムを含みうる。
【００７９】
アクセス・ポイント１５０５では、端末１５３０からのＵＬ信号が、アンテナ１５２５によって受信され、受信機ユニット１５７５によって処理されることにより、サンプルが得られる。その後、シンボル復調器１５８０が、このサンプルを処理し、受信されたパイロット・シンボルおよびデータ・シンボル推定値を、ＵＬのために提供する。ＲＸデータ・プロセッサ１５８５は、このデータ・シンボル推定値を処理して、端末１５３０によって送信されたトラフィック・データを復元する。プロセッサ１５９０は、ＵＬで送信している各アクティブ端末のためのチャネル推定を実行する。パイロット・サブ帯域のセットがインタレースされる場合、複数の端末が、パイロット・サブ帯域のそれぞれ割り当てられたセットにおけるＵＬで、パイロットを同時に送信しうる。
【００８０】
プロセッサ１５９０およびプロセッサ１５５０はそれぞれ、アクセス・ポイント１５０５および端末１５３０における動作を指示（例えば、制御、調整、管理等）する。プロセッサ１５９０およびプロセッサ１５５０のそれぞれは、プログラム・コードおよびデータを格納するメモリ・ユニット（図示せず）に関連付けられうる。プロセッサ１５９０およびプロセッサ１５５０はまた、ＵＬおよびＤＬそれぞれのための周波数および時間ベースのインパルス応答推定値を導出する計算をも実行する。
【００８１】
多元接続システム（例えば、ＳＣ−ＦＤＭＡ、ＦＤＭＡ、ＯＦＤＭＡ、ＣＤＭＡ、ＴＤＭＡ等）の場合、複数の端末が、ＵＬで同時に送信しうる。このようなシステムの場合、パイロット・サブ帯域が、さまざまな端末間で共有される。おのおのの端末のパイロット・サブ帯域が、（恐らくは、帯域端を除く）動作帯域全体におよぶ場合、チャネル推定技術が使用されうる。各端末の周波数ダイバーシティを得るために、このようなパイロット・サブ帯域構成が望ましいだろう。
【００８２】
本明細書に記載された技術は、さまざまな手段によって実現されうる。例えば、これらの技術は、ハードウェア、ソフトウェア、あるいはそれらの組み合わせで実現されうる。デジタル、アナログ、あるいはデジタルとアナログの両方でありうるハードウェアによる実現の場合、チャネル推定のために使用される処理ユニットは、１または複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールド・プログラマブル・ゲート・アレイ（ＦＰＧＡ）、プロセッサ、コントローラ、マイクロ・コントローラ、マイクロプロセッサ、本明細書に記載された機能を実行するように設計されたその他の電子ユニット、または、これらの組み合わせ内に実装される。ソフトウェアを用いた場合、本明細書に記載された機能を実行するモジュールによって実現される。ソフトウェア・コードは、メモリ・ユニット内に格納され、プロセッサ１５９０、１５５０によって実行されうる。
【００８３】
図１６は、例えば、１または複数の態様と連携して利用されうるような、複数の基地局（ＢＳ）１６１０（例えば、無線アクセス・ポイント、無線通信装置）と、複数の端末１６２０（例えば、ＡＴ）とを備えた無線通信システム１６００を例示する。ＢＳ１６１０は、一般に、端末と通信する固定局であり、また、アクセス・ポイント、ノードＢ、またはその他いくつかの専門用語で称されうる。ＢＳ１６１０はおのおのの、図１６において１６０２ａ、１６０２ｂ、１６０２ｃとラベルされた３つの地理的領域として例示されているように、特定の地理的領域または有効通信範囲のための通信有効範囲を提供する。用語「セル」は、この用語が使用されるコンテキストに依存して、ＢＳまたはその有効範囲エリアを称しうる。システム容量を改善するために、ＢＳ地理的領域／有効通信範囲エリアが、複数の小さな領域（例えば、図１６のセル１６０２ａによれば、３つの小さな領域）１６０４ａ、１６０４ｂ、および１６０４ｃへ分割されうる。これら小さな領域（１６０４ａ、１６０４ｂ、１６０４ｃ）のおのおのは、それぞれの基地トランシーバ・サブシステム（ＢＴＳ）によってサービス提供されうる。用語「セクタ」は、この用語が使用されるコンテキストに依存して、ＢＴＳまたはその有効範囲エリアを称しうる。セクタ化されたセルの場合、セルのすべてのセクタのＢＴＳは一般に、このセルの基地局内に共存する。本明細書に記載された送信技術は、セクタ化されたセルを備えたシステムのみならず、セクタ化されていないセルを備えたシステムのためにも使用することができる。簡略のために、主題とする記載では、別に指定されていない限り、「基地局」という用語は、セクタにサービス提供する固定局のみならず、セルにサービス提供する固定局のためにも一般的に使用される。
【００８４】
端末１６２０は、一般に、システムの全体にわたって分布しており、おのおのの端末１６２０は、据置式または移動式でありうる。端末１６２０はまた、移動局、ユーザ機器、ユーザ・デバイス、無線通信装置、アクセス端末、ユーザ端末、あるいはその他のある専門用語で称されうる。端末１６２０は、無線デバイス、セルラ電話、携帯情報端末（ＰＤＡ）、無線モデム・カード等でありうる。端末１６２０はおのおのの、所与の瞬間において、ダウンリンク（例えば、ＦＬ）およびアップリンク（例えば、ＲＬ）で０、１、または複数のＢＳと通信しうる。ダウンリンクは、基地局から端末への通信リンクを称し、アップリンクは、端末から基地局への通信リンクを称する。
【００８５】
集中型アーキテクチャの場合、システム・コントローラ１６３０が、基地局１６１０に接続しており、ＢＳ１６１０のための調整および制御を提供する。分散型アーキテクチャの場合、ＢＳ１６１０は、（例えば、ＢＳ１６１０と通信可能に接続している有線または無線のバックホール・ネットワークによって）必要に応じて互いに通信しうる。順方向リンクにおけるデータ送信はしばしば、順方向リンクまたは通信システムによってサポートされうる最大データ・レートまたはその近傍で、１つのアクセス・ポイントから１つのアクセス端末へと生じる。順方向リンクの追加チャネル（例えば、制御チャネル）は、複数のアクセス・ポイントから１つのアクセス端末へ送信されうる。逆方向リンク・データ通信が、１つのアクセス端末から１または複数のアクセス・ポイントへ生じうる。
【００８６】
図１７は、さまざまな態様にしたがう、計画されたまたは半計画された無線通信環境１７００の例示である。通信環境１７００は、ＨＮＢ１７１０を含む複数のアクセス・ポイントＢＳを含んでいる。これらの各々は、対応する小規模なネットワーク環境内に配置される。これら小規模なネットワーク環境の例は、ユーザ住居、事業所、屋内／屋外施設１７３０等を含みうる。ＨＮＢ１７１０は、（例えば、ＨＮＢ１１０に関連付けられたＣＳＧに含まれる）関連付けられたＵＥ１７２０、あるいは、オプションとして、（例えば、ＨＮＢ１７２０のＣＧＳのために構成されていない）外部またはビジターのＵＥ１７２０にサービス提供するように構成されうる。おのおののＨＮＢ１７１０はさらに、（図示しない）ＤＳＬルータや、あるいは、ケーブル・モデム、電線接続によるブロードバンド、衛星インターネット接続、または同種のブロードバンド・インターネット接続（図示せず）を介して、インターネット１７４０およびモバイル・オペレータ・コア・ネットワーク１７５０に接続される。
【００８７】
ＨＮＢ１７１０によって無線サービスを実施するために、ＨＮＢ１７１０の所有者は、モバイル・オペレータ・コア・ネットワーク１７５０によって提供される、例えば３Ｇモバイル・サービスのようなモバイル・サービスに加入する。また、ＵＥ１７２０は、本明細書に記載されたさまざまな技術を用いて、マクロ・セルラ環境、および／または、住宅の小規模ネットワーク環境において動作することができる。したがって、少なくともいくつかの開示された態様では、ＨＮＢ１７１０は、任意の適切な既存のＵＥ１７２０との下位互換性を持ちうる。さらに、マクロ・セル・モバイル・ネットワーク１７５５に加えて、ＵＥ１７２０は、予め定められた数のＨＮＢ１７１０、特に、対応するユーザ住居（単数または複数）、事業所（単数または複数）、または、屋内／屋外施設１７３０内に存在するＨＮＢ１７１０によってサービス提供され、モバイル・オペレータ・コア・ネットワーク１７５０のマクロ・セル・モバイル・ネットワーク１７５５とのソフト・ハンドオーバ状態にはありえない。本明細書に記載された実施形態は、３ＧＰＰ用語を使用しているが、これら実施形態は、３ＧＰＰ（リリース９９、リリース５、リリース６、リリース７）技術のみならず、３ＧＰＰ２（１×ＲＴＴ、１×ＥＶ−ＤＯ  リリース０、改訂Ａ、改訂Ｂ）技術、およびその他の周知ならびに関連する技術にも適用されることが理解されるべきであると認識されるべきである。
【００８８】
主題となる開示で使用されているように、「構成要素」、「システム」、「モジュール」等の用語は、ハードウェア、ソフトウェア、実行中のソフトウェア、ファームウェア、ミドルウェア、マイクロコード、および／または、これら任意の組み合わせの何れかであるコンピュータ関連エンティティを称することが意図されている。例えば、モジュールは、限定される訳ではないが、プロセッサ上で実行中のプロセス、プロセッサ、オブジェクト、実行形式、実行スレッド、プログラム、デバイス、および／または、コンピュータでありうる。１または複数のモジュールは、プロセスまたは実行スレッド内に存在しうる。そして、モジュールは、１つの電子デバイスに局在化されるか、あるいは、複数の電子デバイス間で分散されうる。さらに、これらモジュールは、格納したさまざまなデータ構造を有するさまざまなコンピュータ読取可能媒体から実行可能でありうる。これらモジュールは、例えば、１または複数のデータ・パケット（例えば、ローカル・システムや、分散システムのように、他の構成要素とインタラクトする、および、例えばインターネットのように、信号によって他のシステムとインタラクトするネットワークを介して他の構成要素とインタラクトする１つの構成要素からのデータ）を有する信号にしたがって、ローカル処理または遠隔処理によって通信しうる。さらに、本明細書に記載されたシステムの構成要素またはモジュールは、本明細書に関連して記載されたようなさまざまな態様、目標、利点等を達成することを容易にするために、さらなる構成要素／モジュール／システムによって再構築または補足されうる。これらは、当業者によって認識されるように、与えられた図面に記載された正確な構成に限定されない。
【００８９】
さらにまた、本明細書では、さまざまな態様が、ＵＥに関連して記載される。ＵＥは、システム、加入者ユニット、加入者局、移動局、モバイル、モバイル通信デバイス、モバイル・デバイス、遠隔局、遠隔端末、ＡＴ、ユーザ・エージェント（ＵＡ）、ユーザ・デバイス、ユーザ端末（ＵＴ）等とも称される。加入者局は、セルラ電話、コードレス電話、セッション開始プロトコル（ＳＩＰ）電話、無線ローカル・ループ（ＷＬＬ）局、携帯情報端末（ＰＤＡ）、無線接続機能を有するハンドヘルド・デバイス、または、無線モデムや、処理デバイスとの無線通信を容易にする類似のメカニズムに接続されたその他の処理デバイスでありうる。
【００９０】
１または複数の典型的な実施形態では、記載された機能は、ハードウェア、ソフトウェア、ファームウェア、ミドルウェア、マイクロコード、あるいはこれら任意の適切な組み合わせで実現されうる。ソフトウェアで実現される場合、これら機能はコンピュータ読取可能媒体に格納されうるか、あるいは、コンピュータ読取可能媒体上の１または複数の命令群またはコードとして送信されうる。コンピュータ読取可能媒体は、コンピュータ記憶媒体と通信媒体との両方を含む。これらは、コンピュータ・プログラムのある場所から別の場所への転送を容易にする任意の媒体を含む。記憶媒体は、コンピュータによってアクセスされうる任意の物理媒体でありうる。限定ではなく、一例として、このようなコンピュータ記憶媒体は、ＲＡＭ、ＲＯＭ、ＥＥＰＲＯＭ、ＣＤ−ＲＯＭ、またはその他の光ディスク記憶装置、磁気ディスク記憶装置、またはその他の磁気記憶装置、スマート・カード、および、フラッシュ・メモリ・デバイス（例えば、カード、スティック、キー・ドライブ等）、あるいは、命令群またはデータ構造の形式をとり、かつ、コンピュータによってアクセス可能である所望のプログラム・コードを伝送または格納するために使用されうるその他任意の適切な媒体を備えうる。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるディスク（ｄｉｓｋおよびｄｉｓｃ）は、コンパクト・ディスク（ＣＤ）、レーザ・ディスク、光ディスク、デジタル・バーサタイル・ディスク（ＤＶＤ）、フロッピー（登録商標）ディスク、およびブルー・レイ・ディスクを含む。これらｄｉｓｃは、レーザを用いてデータを光学的に再生する。それに対して、ｄｉｓｋは、通常、データを磁気的に再生する。上記の組み合わせもまた、コンピュータ読取可能媒体の範囲内に含まれるべきである。
【００９１】
ハードウェアで実現する場合、本明細書で開示された態様に関して記述された処理ユニットのさまざまな例示的なロジック、論理ブロック、モジュール、および回路は、１または複数のＡＳＩＣ、ＤＳＰ、ＤＳＰＤ、ＰＬＤ、ＦＰＧＡ、ディスクリート・ゲートまたはトランジスタ・ロジック、ディスクリート・ハードウェア構成要素、汎用プロセッサ、コントローラ、マイクロ・コントローラ、マイクロプロセッサ、本明細書に記載された機能を実行するように設計されたその他の電子ユニット、あるいはそれらの組み合わせ内に実装または実現されうる。汎用プロセッサとしてマイクロプロセッサを用いることが可能であるが、代わりに、従来技術によるプロセッサ、コントローラ、マイクロ・コントローラ、あるいは順序回路を用いることも可能である。プロセッサはまた、例えば、ＤＳＰとマイクロプロセッサとの組み合わせ、複数のマイクロプロセッサ、ＤＳＰコアと連携した１または複数のマイクロプロセッサ、あるいは、その他任意の適切な構成のようなコンピューティング・デバイスの組み合わせとして実現されうる。さらに、少なくとも１つのプロセッサは、本明細書に記載されたステップまたは動作のうちの１または複数を実行するように動作可能な１または複数のモジュールを備えうる。
【００９２】
さらに、本明細書に記載のさまざまな態様または特徴は、標準的なプログラミング技術および／またはエンジニアリング技術を用いた方法、装置、または製造物品として実現されうる。さらに、本明細書で開示された態様に関して記載された方法またはアルゴリズムのステップおよび／または動作は、ハードウェアにおいて直接的に、プロセッサによって実行可能なソフトウェア・モジュールによって、あるいは、これら２つの組み合わせで具体化されうる。それに加えて、いくつかの態様では、方法またはアルゴリズムのステップまたは動作が、コンピュータ・プログラム製品に組み込まれうるマシン読取可能媒体またはコンピュータ読取可能媒体における命令群またはコードのうちの少なくとも１つまたは任意の組み合わせまたはセットとして存在しうる。本明細書で使用されるような用語「製造物品」、「モジュール」、または「装置」は、少なくとも１つの態様では、任意の適切なコンピュータ読取可能デバイスまたは媒体からアクセス可能なコンピュータ・プログラムを包含することが意図されている。
【００９３】
さらに、「典型的である」という用語は、例、実例、あるいは例示として役立つことを意味するために本明細書で使用される。本明細書で「典型的」と記載された任意の態様または設計は、必ずしも、他の態様または設計に対して好適であるとも、有利であるとも解釈される必要はない。むしろ、典型的という用語を用いることは、概念を具体的に表すことが意図されている。本明細書で使用されるように、用語「または」は、排他的な「または」ではなく、包括的な「または」を意味することが意図されている。すなわち、コンテキストで指定されていないか、あるいは、コンテキストから明らかではない場合、フレーズ「ＸはＡまたはＢを適用する」は、自然な包括的な置き換えのうちの何れかを意味することが意図されている。すなわち、ＸはＡを使用する、ＸはＢを使用する、あるいは、ＸはＡとＢとの両方を適用する場合、「ＸはＡまたはＢを適用する」ことが、前述した例の何れかの下で満足される。さらに、本願および特許請求の範囲で使用されているような冠詞“ａ”および“ａｎ”は、特に指定されていない場合、あるいは、単数を対象としていることが文脈から明らかではない場合、一般に、「１または複数」を意味するものと解釈されるべきである。
【００９４】
さらに、本明細書で使用されるように、「推論する」または「推論」なる用語は一般に、イベントおよび／またはデータによって取得されたような観察のセットから、システム、環境、および／または、ユーザの状態の推論あるいはそれらに関する推理のプロセスを称する。推論は、特定のコンテキストまたは動作を識別するために適用されるか、あるいは、例えば状態にわたる確率分布を生成しうる。推論は、確率論的、すなわち、データおよびイベントの考慮に基づいて、該当する状態にわたる確率分布を計算することでありうる。推論はまた、イベントまたはデータのセットから、より高いレベルのイベントを構築するために適用される技術を称することができる。そのような推論によって、イベントが時間的に近接していようといまいと、これらイベントおよびデータが１または幾つかのイベント・ソースおよびデータ・ソースに由来していようと、観察されたイベントおよび／または格納されたイベント・データのセットから、新たなイベントまたは動作を構築することができる。
【００９５】
上述されたものは、権利主張される主題の態様の例を含んでいる。もちろん、権利主張される主題を説明する目的で、構成要素または方法の考えられるすべての組み合わせを記述することは可能ではないが、当業者であれば、開示された主題のさらに多くの組み合わせおよび置き換えが可能であることを認識することができる。したがって、開示された主題は、特許請求の範囲の精神およびスコープ内にあるこのようなすべての変更、修正、および変形を含むことが意図されている。さらにまた、用語「含む」、「有する」、「有している」が、詳細説明あるいは特許請求の範囲のうちの何れかで使用されている限り、これら用語は、用語「備える」が、請求項における遷移語として適用される場合に解釈される用語「備える」と同様に、包括的であることが意図される。
【図１】
2014030202.tif 000003
【図２】
2014030202.tif 000004
【図３】
2014030202.tif 000005
【図４】
2014030202.tif 000006
【図５】
2014030202.tif 000007
【図６】
2014030202.tif 000008
【図７】
2014030202.tif 000009
【図８】
2014030202.tif 000010
【図９】
2014030202.tif 000011
【図１０】
2014030202.tif 000012
【図１１】
2014030202.tif 000013
【図１２】
2014030202.tif 000014
【図１３】
2014030202.tif 000015
【図１４】
2014030202.tif 000016
【図１５】
2014030202.tif 000017
【図１６】
2014030202.tif 000018
【図１７】
2014030202.tif 000019
【手続補正書】
【提出日】平成25年9月20日(2013.9.20)
【手続補正１】
【補正対象書類名】特許請求の範囲
【補正対象項目名】全文
【補正方法】変更
【補正の内容】
【特許請求の範囲】
【請求項１】
無線通信の方法であって、
パケット・データ・ネットワーク接続（ＰＤＮ接続）を求める要求を、ローカル・インターネット・プロコトル・アクセス（ＬＩＰＡ）トラフィックを求める要求として識別することと、
ＬＩＰＡアクセス・ポイント名（ＬＩＰＡ  ＡＰＮ）を生成することと、
ＬＩＰＡトラフィックのため前記ＰＤＮ接続を開始するために、前記ＰＤＮ接続を求める要求および前記ＬＩＰＡ  ＡＰＮを、サービス提供基地局へ無線で送信することと
を備える方法。
【請求項２】
前記ＰＤＮ接続を求める要求は、ＬＩＰＡトラフィックを求めるコールを行うソフトウェア・アプリケーションからの要求、または、ローカル・ネットワークにアクセスするための、ソフトウェア・アプリケーションからの要求、のうちの少なくとも１つである、請求項１に記載の方法。
【請求項３】
前記ＰＤＮ接続を求める要求を、ＬＩＰＡトラフィックを求める要求として識別することは、前記サービス提供基地局が、ホーム基地局であると判定することをさらに備える、請求項１に記載の方法。
【請求項４】
前記ＬＩＰＡ  ＡＰＮを生成することはさらに、前記サービス提供基地局のホーム基地局識別子を、前記ＬＩＰＡ  ＡＰＮの一部として指定することを備える、請求項１に記載の方法。
【請求項５】
前記ＬＩＰＡ  ＡＰＮを生成することはさらに、前記ＬＩＰＡ  ＡＰＮの一部として「ＬＩＰＡ」を明示的に示すことを備える、請求項１に記載の方法。
【請求項６】
前記ＬＩＰＡ  ＡＰＮを生成することはさらに、前記サービス提供基地局が、ＬＩＰＡ無線サービスに関連付けられていると判定することを備える、請求項１に記載の方法。
【請求項７】
無線通信のために構成された装置であって、
無線信号を送信および受信するための無線通信インタフェースと、
ローカル・インターネット・プロトコル・アクセス（ＬＩＰＡ）ネットワーク・コンテキストを開始するための命令群を格納するメモリとを備え、
前記命令群は、
パケット・ネットワーク・コンテキストを確立することを求める要求が、ＬＩＰＡパケット・データ・ネットワーク（ＬＩＰＡ  ＰＤＮ）に関連しているかを判定するフィルタリング・モジュールと、
ＬＩＰＡアクセス・ポイント名（ＬＩＰＡ  ＡＰＮ）を生成し、ＰＤＮ接続を要求するために無線メッセージ内に前記ＬＩＰＡ  ＡＰＮを含めるコンテキスト・モジュールと、を備えるコンピュータ実行可能モジュールによって実行され、
前記無線メッセージは、前記無線通信インタフェースによって、前記装置にサービス提供する基地局へ送信される、装置。
【請求項８】
前記要求が、ＬＩＰＡトラフィックを求めるアプリケーション、または、ローカル・ネットワークにアクセスするように構成されたアプリケーションのうちの少なくとも１つから発行された場合、前記フィルタリング・モジュールは、前記要求が、前記ＬＩＰＡ  ＰＤＮに関連していると判定する、請求項７に記載の装置。
【請求項９】
前記装置にサービス提供している基地局が、ホーム基地局である場合、前記フィルタリング・モジュールは、前記要求が前記ＬＩＰＡ  ＰＤＮに関連していると判定する、請求項７に記載の装置。
【請求項１０】
前記装置にサービス提供している基地局がＬＩＰＡトラフィックに関連付けられている場合、前記フィルタリング・モジュールは、前記要求が前記ＬＩＰＡ  ＰＤＮに関連していると判定する、請求項７に記載の装置。
【請求項１１】
前記コンテキスト・モジュールは、少なくとも部分的に、前記装置にサービス提供している基地局のホーム基地局識別子から、前記ＬＩＰＡ  ＡＰＮを生成する、請求項７に記載の装置。
【請求項１２】
前記コンテキスト・モジュールは、少なくとも部分的に、前記ＬＩＰＡ  ＡＰＮにおける「ＬＩＰＡ」を明示的に用いて、前記ＬＩＰＡ  ＡＰＮを生成する、請求項７に記載の装置。
【請求項１３】
無線通信のための装置であって、
パケット・データ・ネットワーク接続（ＰＤＮ接続）を求める要求を、ローカル・インターネット・プロコトル・アクセス（ＬＩＰＡ）トラフィックを求める要求として識別する手段と、
ＬＩＰＡアクセス・ポイント名（ＬＩＰＡ  ＡＰＮ）を生成する手段と、
ＬＩＰＡトラフィックのため前記ＰＤＮ接続を開始するために、前記ＰＤＮ接続を求める要求および前記ＬＩＰＡ  ＡＰＮを、サービス提供基地局へ無線で送信する手段と
を備える装置。
【請求項１４】
無線通信のために構成された少なくとも１つのプロセッサであって、
パケット・データ・ネットワーク接続（ＰＤＮ接続）を求める要求を、ローカル・インターネット・プロコトル・アクセス（ＬＩＰＡ）トラフィックを求める要求として識別するモジュールと、
ＬＩＰＡアクセス・ポイント名（ＬＩＰＡ  ＡＰＮ）を生成するモジュールと、
ＬＩＰＡトラフィックのため前記ＰＤＮ接続を開始するために、前記ＰＤＮ接続を求める要求および前記ＬＩＰＡ  ＡＰＮを、サービス提供基地局へ無線で送信するモジュールと
を備えるプロセッサ。
【請求項１５】
コンピュータ・プログラムであって、
コンピュータに対して、パケット・データ・ネットワーク接続（ＰＤＮ接続）を求める要求を、ローカル・インターネット・プロコトル・アクセス（ＬＩＰＡ）トラフィックを求める要求として識別させるためのコードと、
前記コンピュータに対して、ＬＩＰＡアクセス・ポイント名（ＬＩＰＡ  ＡＰＮ）を生成させるためのコードと、
ＬＩＰＡトラフィックのため前記ＰＤＮ接続を開始するために、前記コンピュータに対して、前記ＰＤＮ接続を求める要求および前記ＬＩＰＡ  ＡＰＮを、サービス提供基地局へ無線で送信させるためのコードと
を備えるコンピュータ・プログラム。
【請求項１６】
無線通信を含むローカル・インターネット・プロトコル・アクセス（ＬＩＰＡ）トラフィックのためのパケット接続を終了させる方法であって、
アクセス端末が基地局と無線接続を確立していることを示すメッセージを受信することと、
既存のＬＩＰＡパケット・データ・ネットワーク・コンテキスト（既存のＬＩＰＡ  ＰＤＮコンテキスト）が、前記基地局における使用に利用可能ではないと判定することと、
既存のＬＩＰＡ  ＰＤＮコンテキストを終了させるために、前記既存のＬＩＰＡ  ＰＤＮコンテキストに関連付けられたローカル・ゲートウェイ（Ｌ−ＧＷ）へ非アクティブ化要求を送ることと
を備える方法。
【請求項１７】
前記メッセージを受信することは、前記基地局へのハンドオーバを実行するアクセス端末によって引き起こされる、請求項１６に記載の方法。
【請求項１８】
前記メッセージを受信することは、前記基地局との初期接続を確立するアクセス端末によって引き起こされる、請求項１６に記載の方法。
【請求項１９】
前記既存のＬＩＰＡ  ＰＤＮコンテキストが前記基地局での使用に利用可能ではないと判定することはさらに、
前記基地局の識別子を、前記既存のＬＩＰＡ  ＰＤＮコンテキストに関連付けられた識別子と比較すること、または、
前記メッセージからＩＰアドレスを抽出し、前記ＩＰアドレスが、前記基地局に関連付けられたＩＰアドレスと一致しないと判定すること、
のうちの少なくとも１つを備える、請求項１６に記載の方法。
【請求項２０】
前記既存のＬＩＰＡ  ＰＤＮコンテキストが前記基地局での使用に利用可能ではないと判定することはさらに、
前記メッセージと共に明示的に送信されたローカル・ゲートウェイＩＰアドレスを受信することと、
前記ローカル・ゲートウェイＩＰアドレスを、前記既存のＬＩＰＡ  ＰＤＮコンテキストに関連付けられたＬ−ＧＷのＩＰアドレスと比較することと、
前記ローカル・ゲートウェイＩＰアドレスが、前記既存のＬＩＰＡ  ＰＤＮコンテキストに関連付けられたＬ−ＧＷのＩＰアドレスと一致しないと判定することと
を備える請求項１６に記載の方法。
【請求項２１】
無線通信に関連付けられたローカル・インターネット・プロトコル・アクセス・コンテキスト（ＬＩＰＡコンテキスト）を終了させるように構成された装置であって、
電子メッセージを送信および受信するための通信インタフェースと、
非アクティブなＬＩＰＡコンテキストを識別し終了させるように構成された命令群を格納するためのメモリとを備え、
前記命令群は、
前記通信インタフェースから、ユーザ機器（ＵＥ）のモビリティに関連する電子メッセージを受信し、既存のＬＩＰＡコンテキストが、前記ＵＥに関連付けられているかを識別し、前記既存のＬＩＰＡコンテキストが、前記装置と通信可能に接続されたノードにおいてサービスを提供するかを判定する評価モジュールと、
前記既存のＬＩＰＡコンテキストが、前記ノードにおいて現在のサービスを提供しない場合に、前記ノードに関連付けられたローカル・ゲートウェイ（Ｌ−ＧＷ）にリリース命令を送信する終了モジュールと、
を備えるコンピュータ実行可能なモジュールによって実行される、装置。
【請求項２２】
前記電子メッセージは、前記ノードに接続されたアクセス端末が、第２のノードへのハンドオーバを実行する場合に、前記通信インタフェースにおいて受信される、請求項２１に記載の装置。
【請求項２３】
前記電子メッセージは、前記ノードに接続されたアクセス端末が、第２のノードとの初期接続を確立する場合に、前記通信インタフェースにおいて受信される、請求項２１に記載の装置。
【請求項２４】
前記評価モジュールは、
前記第２のノードの識別子を、前記既存のＬＩＰＡコンテキストに関連付けられた識別子と比較すること、または、
前記電子メッセージからＩＰアドレスを抽出し、前記ＩＰアドレスが、前記ノードに関連付けられたＩＰアドレスと一致しないと判定すること、
に少なくとも部分的に基づいて、前記既存のＬＩＰＡコンテキストが、前記ノードにおいてサービスを提供するかを判定する、請求項２３に記載の装置。
【請求項２５】
前記評価モジュールは、
前記電子メッセージから、前記電子メッセージのソースに関連付けられたローカル・ゲートウェイＩＰアドレスを取得することと、
前記ローカル・ゲートウェイＩＰアドレスが、前記ノードに関連付けられたＬ−ＧＷのＩＰアドレスと一致しないと判定することと、
によって、前記既存のＬＩＰＡコンテキストが、前記ノードにおいてサービスを提供するかを判定する、請求項２１に記載の装置。
【請求項２６】
無線通信に関連付けられたローカル・インターネット・プロトコル・アクセス（ＬＩＰＡ）コンテキストを終了させるように構成された装置であって、
基地局との無線接続をアクセス端末が確立していることを示すメッセージを受信する手段と、
既存のＬＩＰＡパケット・データ・ネットワーク・コンテキスト（既存のＬＩＰＡ  ＰＤＮコンテキスト）が、前記基地局における使用に利用可能ではないと判定する手段と、
前記既存のＬＩＰＡ  ＰＤＮコンテキストを終了させるために、前記既存のＬＩＰＡ  ＰＤＮコンテキストに関連付けられたローカル・ゲートウェイ（Ｌ−ＧＷ）へ非アクティブ化要求を送る手段と
を備える装置。
【請求項２７】
無線通信に関連付けられたローカル・インターネット・プロトコル・アクセス（ＬＩＰＡ）コンテキストを終了させるように構成された少なくとも１つのプロセッサであって、
基地局との無線接続をアクセス端末が確立していることを示すメッセージを受信するモジュールと、
既存のＬＩＰＡパケット・データ・ネットワーク・コンテキスト（既存のＬＩＰＡ  ＰＤＮコンテキスト）が、前記基地局における使用に利用可能ではないと判定するモジュールと、
前記既存のＬＩＰＡ  ＰＤＮコンテキストを終了させるために、前記既存のＬＩＰＡ  ＰＤＮコンテキストに関連付けられたローカル・ゲートウェイ（Ｌ−ＧＷ）へ非アクティブ化要求を送るモジュールと
を備えるプロセッサ。
【請求項２８】
コンピュータ・プログラムであって、
基地局との無線接続をアクセス端末が確立していることを示すメッセージを、コンピュータに対して受信させるためのコードと、
既存のＬＩＰＡパケット・データ・ネットワーク・コンテキスト（既存のＬＩＰＡ  ＰＤＮコンテキスト）が、前記基地局における使用に利用可能ではないことを前記コンピュータに判定させるためのコードと、
前記既存のＬＩＰＡ  ＰＤＮコンテキストを終了させるために、前記コンピュータに対して、前記既存のＬＩＰＡ  ＰＤＮコンテキストに関連付けられたローカル・ゲートウェイ（Ｌ−ＧＷ）へ非アクティブ化要求を送信させるためのコードと
を備えるコンピュータ・プログラム。
【手続補正２】
【補正対象書類名】明細書
【補正対象項目名】００９５
【補正方法】変更
【補正の内容】
【００９５】
上述されたものは、権利主張される主題の態様の例を含んでいる。もちろん、権利主張される主題を説明する目的で、構成要素または方法の考えられるすべての組み合わせを記述することは可能ではないが、当業者であれば、開示された主題のさらに多くの組み合わせおよび置き換えが可能であることを認識することができる。したがって、開示された主題は、特許請求の範囲の精神およびスコープ内にあるこのようなすべての変更、修正、および変形を含むことが意図されている。さらにまた、用語「含む」、「有する」、「有している」が、詳細説明あるいは特許請求の範囲のうちの何れかで使用されている限り、これら用語は、用語「備える」が、請求項における遷移語として適用される場合に解釈される用語「備える」と同様に、包括的であることが意図される。
以下に、本願出願の当初の特許請求の範囲に記載された発明を付記する。
［Ｃ１］  ローカル・インターネット・プロトコル・アクセス（ＬＩＰＡ）トラフィックのためのパケット接続を確立するための無線通信の方法であって、
パケット・データ・ネットワーク接続（ＰＤＮ接続）を求める要求を備える電子メッセージを受信することと、
前記ＰＤＮ接続を求める要求が、ＬＩＰＡ  ＰＤＮ要求であるかを判定することと、
前記ＰＤＮ接続が前記ＬＩＰＡ  ＰＤＮ要求であると判定された場合、前記ＬＩＰＡ  ＰＤＮ要求に関連付けられたローカル・ゲートウェイ（Ｌ−ＧＷ）を識別することと
を備える方法。
［Ｃ２］  前記Ｌ−ＧＷを識別することはさらに、前記Ｌ−ＧＷのインターネット・プロトコル・アドレス（ＩＰアドレス）を取得することを備える、Ｃ１に記載の方法。
［Ｃ３］  前記Ｌ−ＧＷのＩＰアドレスを取得することはさらに、前記電子メッセージのヘッダから、前記ＩＰアドレスを抽出することを備える、Ｃ２に記載の方法。
［Ｃ４］  前記Ｌ−ＧＷのＩＰアドレスを取得することはさらに、前記電子メッセージと連携されているＩＰアドレスを受信することを備える、Ｃ２に記載の方法。
［Ｃ５］  前記Ｌ−ＧＷを識別することはさらに、
ドメイン名サーバ・クエリ（ＤＮＳ）サーバを用いて、前記Ｌ−ＧＷを求めるＤＮＳクエリを実行することと、
前記ＤＮＳサーバから、前記Ｌ−ＧＷのＩＰアドレスを受信することと
を備えるＣ１に記載の方法。
［Ｃ６］  前記ＬＩＰＡ  ＰＤＮ要求から、ＬＩＰＡアクセス・ポイント名（ＬＩＰＡ  ＡＰＮ）を抽出することと、
前記ＤＮＳクエリの実行を容易にするために、前記ＬＩＰＡ  ＡＰＮから、完全に記述されたドメイン名を生成することと
をさらに備えるＣ５に記載の方法。
［Ｃ７］  前記Ｌ−ＧＷに関連するＰＤＮ接続を確立するために、前記Ｌ−ＧＷへセッション要求メッセージを送信すること、をさらに備えるＣ１に記載の方法。
［Ｃ８］  前記セッション要求メッセージは、前記ＰＤＮ接続を確立するために適用される生成デフォルト・ベアラ要求を備える、Ｃ７に記載の方法。
［Ｃ９］  前記Ｌ−ＧＷを識別することはさらに、
前記Ｌ−ＧＷに接続されたホーム基地局のＩＰアドレスを取得することと、
前記ホーム基地局のＩＰアドレスを、前記Ｌ−ＧＷのＩＰアドレスとして適用することと
を備えるＣ１に記載の方法。
［Ｃ１０］  前記ＰＤＮ接続を求める要求が、前記ＬＩＰＡ  ＰＤＮ要求であるかを判定することはさらに、前記ＰＤＮ接続を求める要求に関連付けられたアクセス・ポイント名（ＡＰＮ）を、ＬＩＰＡ  ＡＰＮ名のリストと比較することを備える、Ｃ１に記載の方法。
［Ｃ１１］  無線通信と連携したローカル・インターネット・プロトコル・アクセス（ＬＩＰＡ）トラフィックのためのパケット接続を確立するように構成された装置であって、
電子通信を送信および受信するための通信インタフェースと、
ＬＩＰＡトラフィックのためのネットワーク・コンテキストを確立するように構成された命令群を格納するためのメモリとを備え、
前記命令群は、
パケット・ネットワーク接続を求める要求を、前記通信インタフェースから取得し、前記要求が、前記ＬＩＰＡトラフィックを求めるものであるかを判定する分析モジュールと、
ＬＩＰＡトラフィックをサポートし、前記要求を発行するエンティティに関連付けられたローカル・ゲートウェイ（Ｌ−ＧＷ）を識別する獲得モジュールと、
を備えるコンピュータ実行可能モジュールによって実行される、装置。
［Ｃ１２］  前記要求が、ＬＩＰＡトラフィックを求めるものであると判定された場合に、前記ＬＩＰＡトラフィックをサポートするために、前記Ｌ−ＧＷに対して、パケット・コンテキストを確立するように命じるトラフィック・セットアップ・モジュールをさらに備える、Ｃ１１に記載の装置。
［Ｃ１３］  前記パケット・コンテキストは、ＬＩＰＡトラフィックのために構成されたＰＤＮ接続であるか、ＬＩＰＡトラフィックのために構成されたパケット・データ・プロトコル・コンテキスト（ＰＤＰコンテキスト）である、Ｃ１２に記載の装置。
［Ｃ１４］  前記獲得モジュールは、前記要求に含まれたインターネット・プロトコル・アドレス（ＩＰアドレス）から前記Ｌ−ＧＷを識別する、Ｃ１１に記載の装置。
［Ｃ１５］  前記ＩＰアドレスは、前記要求を備える無線メッセージの明示的な情報要素において指定される、Ｃ１４に記載の装置。
［Ｃ１６］  前記ＩＰアドレスは、前記要求を備える無線メッセージのソースＩＰヘッダから抽出される、Ｃ１４に記載の装置。
［Ｃ１７］  完全に記述されたドメイン名（ＦＱＤＮ）を生成するために、前記要求を用いて指定された規定されたＬＩＰＡアクセス・ポイント名（規定されたＬＩＰＡ  ＡＰＮ）を適用し、ドメイン名サーバクエリ（ＤＮＳクエリ）を実行するために前記ＦＱＤＮを利用し、前記ＤＮＳクエリに応答して前記ＩＰアドレスを取得するドメイン・モジュールをさらに備える、Ｃ１４に記載の装置。
［Ｃ１８］  前記分析モジュールは、前記要求に含まれるアクセス・ポイント名（ＡＰＮ）が、ＬＩＰＡトラフィックに明示的に関連付けられた用語であるかを識別すること、または、前記要求を前記装置にルーティングしている第２のエンティティが、ホーム基地局であるか、ホーム基地局ゲートウェイであるかを識別すること、のうちの少なくとも１つによって、前記要求が、ＬＩＰＡトラフィックを求めるものであるかを判定する、Ｃ１１に記載の装置。
［Ｃ１９］  ロング・ターム・イボリューション無線ネットワークのモビリティ管理エンティティ（ＭＭＥ）、または、ユニバーサル・モバイル・テレコミュニケーション・システム・ネットワークのサービス提供ＧＰＲＳサポート・ノード（Ｓ−ＧＳＭ）、のうちの少なくとも１つを備えるＣ１１に記載の装置。
［Ｃ２０］  無線通信と連携したローカル・インターネット・プロトコル・アクセス（ＬＩＰＡ）コンテキストを確立するように構成された装置であって、
パケット・ネットワーク接続を求める要求を備える電子メッセージを受信する手段と、
前記要求が、ＬＩＰＡトラフィックを確立することを求める要求であるかを判定する手段と、
前記要求が、ＬＩＰＡトラフィックを確立するための要求であると判定された場合、前記ＬＩＰＡトラフィックをサポートするローカル・ゲートウェイ（Ｌ−ＧＷ）を識別する手段と
を備える装置。
［Ｃ２１］  無線通信と連携したローカル・インターネット・プロトコル・アクセス（ＬＩＰＡ）コンテキストを確立するように構成された装置であって、
パケット・ネットワーク接続を求める要求を備える電子メッセージを受信するモジュールと、
前記要求がＬＩＰＡトラフィックを確立することを求める要求であるかを判定するモジュールと、
前記要求が、ＬＩＰＡトラフィックを確立する要求であると判定された場合、前記ＬＩＰＡトラフィックをサポートするローカル・ゲートウェイ（Ｌ−ＧＷ）を識別するモジュールと
を備えるプロセッサ。
［Ｃ２２］  コンピュータ読取可能媒体を備えるコンピュータ・プログラム製品であって、
前記コンピュータ読取可能媒体は、
コンピュータに対して、パケット・ネットワーク接続を求める要求を備える電子メッセージを受信させるためのコードと、
前記コンピュータに対して、前記要求が、ローカル・インターネット・プロトコル・アクセス（ＬＩＰＡ）トラフィックを確立する要求であるかを判定させるためのコードと、
前記要求が、ＬＩＰＡトラフィックを確立するための要求であると判定された場合、前記コンピュータに対して、ＬＩＰＡトラフィックに関連付けられたローカル・ゲートウェイ（Ｌ−ＧＷ）を識別させるためのコードと
を備えるコンピュータ・プログラム製品。
［Ｃ２３］  無線通信の方法であって、
パケット・データ・ネットワーク接続（ＰＤＮ接続）を求める要求を、ローカル・インターネット・プロコトル・アクセス（ＬＩＰＡ）トラフィックを求める要求として識別することと、
ＬＩＰＡアクセス・ポイント名（ＬＩＰＡ  ＡＰＮ）を生成することと、
ＬＩＰＡトラフィックのため前記ＰＤＮ接続を開始するために、前記ＰＤＮ接続を求める要求および前記ＬＩＰＡ  ＡＰＮを、サービス提供基地局へ無線で送信することと
を備える方法。
［Ｃ２４］  前記ＰＤＮ接続を求める要求は、ＬＩＰＡトラフィックを求めるコールを行うソフトウェア・アプリケーションからの要求、または、ローカル・ネットワークにアクセスするための、ソフトウェア・アプリケーションからの要求、のうちの少なくとも１つである、Ｃ２３に記載の方法。
［Ｃ２５］  前記ＰＤＮ接続を求める要求を、ＬＩＰＡトラフィックを求める要求として識別することは、前記サービス提供基地局が、ホーム基地局であると判定することをさらに備える、Ｃ２３に記載の方法。
［Ｃ２６］  前記ＬＩＰＡ  ＡＰＮを生成することはさらに、前記サービス提供基地局のホーム基地局識別子を、前記ＬＩＰＡ  ＡＰＮの一部として指定することを備える、Ｃ２３に記載の方法。
［Ｃ２７］  前記ＬＩＰＡ  ＡＰＮを生成することはさらに、前記ＬＩＰＡ  ＡＰＮの一部として「ＬＩＰＡ」を明示的に示すことを備える、Ｃ２３に記載の方法。
［Ｃ２８］  前記ＬＩＰＡ  ＡＰＮを生成することはさらに、前記サービス提供基地局が、ＬＩＰＡ無線サービスに関連付けられていると判定することを備える、Ｃ２３に記載の方法。
［Ｃ２９］  無線通信のために構成された装置であって、
無線通信を送信および受信するための無線通信インタフェースと、
ローカル・インターネット・プロトコル・アクセス（ＬＩＰＡ）ネットワーク・コンテキストを開始するための命令群を格納するメモリとを備え、
前記命令群は、
パケット・ネットワーク・コンテキストを確立することを求める要求が、ＬＩＰＡパケット・データ・ネットワーク（ＬＩＰＡ  ＰＤＮ）に関連しているかを判定するフィルタリング・モジュールと、
ＬＩＰＡアクセス・ポイント名（ＬＩＰＡ  ＡＰＮ）を生成し、ＰＤＮ接続を要求するために無線メッセージ内に前記ＬＩＰＡ  ＰＤＮを含めるコンテキスト・モジュールと、を備えるコンピュータ実行可能モジュールによって実行され、
前記無線メッセージは、前記無線通信インタフェースによって、前記装置にサービス提供する基地局へ送信される、装置。
［Ｃ３０］  前記要求が、ＬＩＰＡトラフィックを求めるアプリケーション、または、ローカル・ネットワークにアクセスするように構成されたアプリケーションのうちの少なくとも１つから発行された場合、前記フィルタリング・モジュールは、前記要求が、前記ＬＩＰＡ  ＰＤＮに関連していると判定する、Ｃ２９に記載の装置。
［Ｃ３１］  前記装置にサービス提供している基地局が、ホーム基地局である場合、前記フィルタリング・モジュールは、前記要求が前記ＬＩＰＡ  ＰＤＮに関連していると判定する、Ｃ２９に記載の装置。
［Ｃ３２］  前記装置にサービス提供している基地局がＬＩＰＡトラフィックに関連付けられている場合、前記フィルタリング・モジュールは、前記要求が前記ＬＩＰＡ  ＰＤＮに関連していると判定する、Ｃ２９に記載の装置。
［Ｃ３３］  前記コンテキスト・モジュールは、少なくとも部分的に、前記装置にサービス提供している基地局のホーム基地局識別子から、前記ＬＩＰＡ  ＡＰＮを生成する、Ｃ２９に記載の装置。
［Ｃ３４］  前記コンテキスト・モジュールは、少なくとも部分的に、前記ＬＩＰＡ  ＡＰＮにおける「ＬＩＰＡ」を用いて、前記ＬＩＰＡ  ＡＰＮを生成する、Ｃ２９に記載の装置。
［Ｃ３５］  無線通信のために構成された装置であって、
パケット・データ・ネットワーク接続（ＰＤＮ接続）を求める要求を、ローカル・インターネット・プロコトル・アクセス（ＬＩＰＡ）トラフィックを求める要求として識別する手段と、
ＬＩＰＡアクセス・ポイント名（ＬＩＰＡ  ＡＰＮ）を生成する手段と、
ＬＩＰＡトラフィックのため前記ＰＤＮ接続を開始するために、前記ＰＤＮ接続を求める要求および前記ＬＩＰＡ  ＡＰＮを、サービス提供基地局へ無線で送信する手段と
を備える装置。
［Ｃ３６］  無線通信のために構成された少なくとも１つのプロセッサであって、
パケット・データ・ネットワーク接続（ＰＤＮ接続）を求める要求を、ローカル・インターネット・プロコトル・アクセス（ＬＩＰＡ）トラフィックを求める要求として識別するモジュールと、
ＬＩＰＡアクセス・ポイント名（ＬＩＰＡ  ＡＰＮ）を生成するモジュールと、
ＬＩＰＡトラフィックのため前記ＰＤＮ接続を開始するために、前記ＰＤＮ接続を求める要求および前記ＬＩＰＡ  ＡＰＮを、サービス提供基地局へ無線で送信するモジュールと
を備えるプロセッサ。
［Ｃ３７］  コンピュータ読取可能媒体を備えるコンピュータ・プログラム製品であって、
前記コンピュータ読取可能媒体は、
コンピュータに対して、パケット・データ・ネットワーク接続（ＰＤＮ接続）を求める要求を、ローカル・インターネット・プロコトル・アクセス（ＬＩＰＡ）トラフィックを求める要求として識別させるためのコードと、
前記コンピュータに対して、ＬＩＰＡアクセス・ポイント名（ＬＩＰＡ  ＡＰＮ）を生成させるためのコードと、
ＬＩＰＡトラフィックのため前記ＰＤＮ接続を開始するために、前記コンピュータに対して、前記ＰＤＮ接続を求める要求および前記ＬＩＰＡ  ＡＰＮを、サービス提供基地局へ無線で送信させるためのコードと
を備えるコンピュータ・プログラム製品。
［Ｃ３８］  無線通信を含むローカル・インターネット・プロトコル・アクセス（ＬＩＰＡ）トラフィックのためのパケット接続を終了させる方法であって、
アクセス端末が基地局と無線接続を確立していることを示すメッセージを受信することと、
既存のＬＩＰＡパケット・データ・ネットワーク・コンテキスト（既存のＬＩＰＡ  ＰＤＮコンテキスト）が、前記基地局における使用に利用可能ではないと判定することと、
既存のＬＩＰＡ  ＰＤＮコンテキストを終了させるために、前記既存のＬＩＰＡ  ＰＤＮコンテキストに関連付けられたローカル・ゲートウェイ（Ｌ−ＧＷ）へ非アクティブ化要求を送ることと
を備える方法。
［Ｃ３９］  前記メッセージを受信することは、前記基地局へのハンドオーバを実行するアクセス端末によって引き起こされる、Ｃ３８に記載の方法。
［Ｃ４０］  前記メッセージを受信することは、前記基地局との初期接続を確立するアクセス端末によって引き起こされる、Ｃ３８に記載の方法。
［Ｃ４１］  前記既存のＬＩＰＡ  ＰＤＮコンテキストが前記基地局での使用に利用可能ではないと判定することはさらに、
前記基地局の識別子を、前記既存のＬＩＰＡ  ＰＤＮコンテキストに関連付けられた識別子と比較すること、または、
前記メッセージからＩＰアドレスを抽出し、前記ＩＰアドレスが、前記基地局に関連付けられたＩＰアドレスと一致しないと判定すること、
のうちの少なくとも１つを備える、Ｃ３８に記載の方法。
［Ｃ４２］  前記既存のＬＩＰＡ  ＰＤＮコンテキストが前記基地局での使用に利用可能ではないと判定することはさらに、
前記メッセージと共に明示的に送信されたローカル・ゲートウェイＩＰアドレスを受信することと、
前記ローカル・ゲートウェイＩＰアドレスを、前記既存のＬＩＰＡ  ＰＤＮコンテキストに関連付けられたＬ−ＧＷのＩＰアドレスと比較することと、
前記ローカル・ゲートウェイＩＰアドレスが、前記既存のＬＩＰＡ  ＰＤＮコンテキストに関連付けられたＬ−ＧＷのＩＰアドレスと一致しないと判定することと
を備えるＣ３８に記載の方法。
［Ｃ４３］  無線通信に関連付けられたローカル・インターネット・プロトコル・アクセス・コンテキスト（ＬＩＰＡコンテキスト）を終了させるように構成された装置であって、
電子メッセージを送信および受信するための通信インタフェースと、
非アクティブなＬＩＰＡコンテキストを識別し終了させるように構成された命令群を格納するためのメモリとを備え、
前記命令群は、
前記通信インタフェースから、ユーザ機器（ＵＥ）のモビリティに関連する電子メッセージを受信し、既存のＬＩＰＡコンテキストが、前記ＵＥに関連付けられているかを識別し、前記既存のＬＩＰＡコンテキストが、前記装置と通信可能に接続されたノードにおいてサービスを提供するかを判定する評価モジュールと、
前記既存のＬＩＰＡコンテキストが、前記ノードにおいて現在のサービスを提供しない場合に、前記ノードに関連付けられたローカル・ゲートウェイ（Ｌ−ＧＷ）にリリース命令を送信する終了モジュールと、
を備えるコンピュータ実行可能なモジュールによって実行される、装置。
［Ｃ４４］  前記電子メッセージは、前記ノードに接続されたアクセス端末が、第２のノードへのハンドオーバを実行する場合に、前記通信インタフェースにおいて受信される、Ｃ４３に記載の装置。
［Ｃ４５］  前記電子メッセージは、前記ノードに接続されたアクセス端末が、第２のノードとの初期接続を確立する場合に、前記通信インタフェースにおいて受信される、Ｃ４３に記載の装置。
［Ｃ４６］  前記評価モジュールは、
前記第２のノードの識別子を、前記既存のＬＩＰＡコンテキストに関連付けられた識別子と比較すること、または、
前記電子メッセージからＩＰアドレスを抽出し、前記ＩＰアドレスが、前記ノードに関連付けられたＩＰアドレスと一致しないと判定すること、
に少なくとも部分的に基づいて、前記既存のＬＩＰＡコンテキストが、前記ノードにおいてサービスを提供するかを判定する、Ｃ４５に記載の装置。
［Ｃ４７］  前記評価モジュールは、
前記電子メッセージから、前記電子メッセージのソースに関連付けられたローカル・ゲートウェイＩＰアドレスを取得することと、
前記ローカル・ゲートウェイＩＰアドレスが、前記ノードに関連付けられたＬ−ＧＷのＩＰアドレスと一致しないと判定することと、
によって、前記既存のＬＩＰＡコンテキストが、前記ノードにおいてサービスを提供するかを判定する、Ｃ４３に記載の装置。
［Ｃ４８］  無線通信に関連付けられたローカル・インターネット・プロトコル・アクセス（ＬＩＰＡ）コンテキストを終了させるように構成された装置であって、
基地局との無線接続をアクセス端末が確立していることを示すメッセージを受信する手段と、
既存のＬＩＰＡパケット・データ・ネットワーク・コンテキスト（既存のＬＩＰＡ  ＰＤＮコンテキスト）が、前記基地局における使用に利用可能ではないと判定する手段と、
前記既存のＬＩＰＡ  ＰＤＮコンテキストを終了させるために、前記既存のＬＩＰＡ  ＰＤＮコンテキストに関連付けられたローカル・ゲートウェイ（Ｌ−ＧＷ）へ非アクティブ化要求を送る手段と
を備える装置。
［Ｃ４９］  無線通信に関連付けられたローカル・インターネット・プロトコル・アクセス（ＬＩＰＡ）コンテキストを終了させるように構成された少なくとも１つのプロセッサであって、
基地局との無線接続をアクセス端末が確立していることを示すメッセージを受信するモジュールと、
既存のＬＩＰＡパケット・データ・ネットワーク・コンテキスト（既存のＬＩＰＡ  ＰＤＮコンテキスト）が、前記基地局における使用に利用可能ではないと判定するモジュールと、
前記既存のＬＩＰＡ  ＰＤＮコンテキストを終了させるために、前記既存のＬＩＰＡ  ＰＤＮコンテキストに関連付けられたローカル・ゲートウェイ（Ｌ−ＧＷ）へ非アクティブ化要求を送るモジュールと
を備えるプロセッサ。
［Ｃ５０］  コンピュータ読取可能媒体を備えるコンピュータ・プログラム製品であって、
前記コンピュータ読取可能媒体は、
基地局との無線接続をアクセス端末が確立していることを示すメッセージを、コンピュータに対して受信させるためのコードと、
既存のＬＩＰＡパケット・データ・ネットワーク・コンテキスト（既存のＬＩＰＡ  ＰＤＮコンテキスト）が、前記基地局における使用に利用可能ではないことを前記コンピュータに判定させるためのコードと、
前記既存のＬＩＰＡ  ＰＤＮコンテキストを終了させるために、前記コンピュータに対して、前記既存のＬＩＰＡ  ＰＤＮコンテキストに関連付けられたローカル・ゲートウェイ（Ｌ−ＧＷ）へ非アクティブ化要求を送信させるためのコードと
を備えるコンピュータ・プログラム製品。
【外国語明細書】
2014030202000001.pdf